(57)【要約】  機器間におけるＨＤＲ画像データの伝送を良好に行う。  ハイダイナミックレンジ画像データを、外部機器に送信する。このハイダイナミックレンジ画像データの伝送方式情報および/またはガンマ補正情報を、外部機器に送信する。外部機器では、例えば、送信されてきたハイダイナミックレンジ画像データがいかなる伝送方式によるものか、いかなるガンマ補正方式によるものかなどを容易に把握でき、従ってハイダイナミックレンジ画像データの伝送を良好に行うことができる。
2016080233.tif 000002
【特許請求の範囲】
【請求項１】
ハイダイナミックレンジ画像データを、外部機器に送信するデータ送信部と、
上記データ送信部で送信される上記ハイダイナミックレンジ画像データの伝送方式情報および/またはガンマ補正情報を、上記外部機器に送信する情報送信部とを備える
送信装置。
【請求項２】
上記データ送信部は、上記外部機器に、上記ハイダイナミックレンジ画像データを、差動信号により送信する
請求項１に記載の送信装置。
【請求項３】
上記情報送信部は、上記データ送信部で送信される上記ハイダイナミックレンジ画像データの伝送方式情報および/またはガンマ補正情報を、該ハイダイナミックレンジ画像データのブランキング期間に挿入することで、上記外部機器に送信する
請求項２に記載の送信装置。
【請求項４】
上記データ送信部で送信される上記ハイダイナミックレンジ画像データの伝送方式情報およびガンマ補正情報は、ハイダイナミックレンジ画像データの１００％を超える最大白レベル情報、黒レベル表現時のビット値、１００％白レベル表現時のビット値、ハイダイナミックレンジ処理の実施有無を示すフラグ、１００％白レベル時に想定される受信装置輝度レベル、ハイダイナミックレンジ画像の輝度伸長のために必要な輝度入力レベル、ハイダイナミックレンジ画像の輝度伸長のために必要な伸長輝度出力レベルの少なくとも１つを含む
請求項１に記載の送信装置。
【請求項５】
上記外部機器から送られてくる、該外部機器が対応可能なハイダイナミックレンジ画像データの伝送方式情報および/またはガンマ補正方式情報を受信する情報受信部と、
上記情報受信部で受信された伝送方式情報および/またはガンマ補正方式情報に基づいて、上記外部機器が対応可能なハイダイナミックレンジ画像データの伝送方式および/またはガンマ補正方式から所定の伝送方式および/またはガンマ補正方式を選択する方式選択部とをさらに備え、
上記データ送信部は、上記方式選択部で選択された伝送方式および/またはガンマ補正方式のハイダイナミックレンジ画像データを、上記外部機器に送信する
請求項１に記載の送信装置。
【請求項６】
上記情報受信部は、上記外部機器から送られてくる、上記ハイダイナミックレンジ画像データの伝送方式情報および/またはガンマ補正情報の伝送方式情報をさらに受信し、
上記情報送信部は、上記情報受信部で受信された伝送方式情報が示す伝送方式で、上記ハイダイナミックレンジ画像データの伝送方式情報および/またはガンマ補正情報を、上記外部機器に送信する
請求項５に記載の送信装置。
【請求項７】
上記ハイダイナミックレンジ画像データは、第１のデータおよび第２のデータを含み、
上記データ送信部は、上記第１のデータおよび上記第２のデータを立体画像用に規定された映像フォーマットで構成し、上記外部機器に送信する
請求項１に記載の送信装置。
【請求項８】
上記ハイダイナミックレンジ画像データは、第１のデータおよび第２のデータを含み、
上記データ送信部は、上記第１のデータを第１のフレーム画像として上記外部機器に送信し、上記第２のデータを第２のフレーム画像として上記外部機器に送信する
請求項１に記載の送信装置。
【請求項９】
上記ハイダイナミックレンジ画像データは、第１のデータおよび第２のデータを含み、
上記第１のデータはハイダイナミックレンジ画像データの下位８ビットデータであると共に、上記第２のデータはハイダイナミックレンジ画像データの上位ビットデータであるか、あるいは、上記第１のデータはハイダイナミックレンジ画像データの上位８ビットデータであると共に、上記第２のデータはハイダイナミックレンジ画像データの下位ビットデータである
請求項１に記載の送信装置。
【請求項１０】
ハイダイナミックレンジ画像データを、外部機器に送信するデータ送信ステップと、
上記データ送信ステップで送信される上記ハイダイナミックレンジ画像データの伝送方式情報および/またはガンマ補正情報を、上記外部機器に送信する情報送信ステップとを有する
ハイダイナミックレンジ画像データ送信方法。
【請求項１１】
コンピュータを、
ハイダイナミックレンジ画像データを、外部機器に送信するデータ送信手段と、
上記データ送信手段で送信される上記ハイダイナミックレンジ画像データの伝送方式情報および/またはガンマ補正情報を、上記外部機器に送信する情報送信手段と
して機能させるプログラム。
【請求項１２】
外部機器から、ハイダイナミックレンジ画像を表示するためのハイダイナミックレンジ画像データを受信するデータ受信部と、
上記外部機器から、上記データ受信部で受信されるハイダイナミックレンジ画像データの伝送方式情報および/またはガンマ補正情報を受信する情報受信部と、
上記情報受信部で受信された伝送方式情報および/またはガンマ補正情報に基づいて、上記データ受信部で受信されたハイダイナミックレンジ画像データを処理するデータ処理部とを備える
受信装置。
【請求項１３】
上記データ受信部は、上記外部機器から、差動信号により、上記ハイダイナミックレンジ画像データを受信する
請求項１２に記載の受信装置。
【請求項１４】
上記情報受信部は、上記データ受信部で受信された上記ハイダイナミックレンジ画像データのブランキング期間から、該ハイダイナミックレンジ画像データの伝送方式情報および/またはガンマ補正情報を抽出する
請求項１３に記載の受信装置。
【請求項１５】
自身が対応可能なハイダイナミックレンジ画像データの伝送方式情報および/またはガンマ補正方式情報を記憶しておく情報記憶部と、
上記情報記憶部に記憶されている伝送方式情報および/またはガンマ補正方式情報を、上記外部機器に送信する情報送信部とをさらに備える
請求項１２に記載の受信装置。
【請求項１６】
上記情報記憶部は、上記ハイダイナミックレンジ画像データの伝送方式情報および/またはガンマ補正情報の伝送方式情報をさらに記憶しており、
上記情報送信部は、上記情報記憶部に記憶されている上記ハイダイナミックレンジ画像データの伝送方式情報および/またはガンマ補正情報の伝送方式情報を上記外部機器にさらに送信する
請求項１５に記載の受信装置。
【請求項１７】
上記情報記憶部は、表示可能な最大輝度情報、ハイダイナミックレンジ処理可能な最大伸長輝度レベル情報、伸長処理禁止フラグの少なくとも１つをさらに記憶している
請求項１５に記載の受信装置。
【請求項１８】
データ受信部により、外部機器から、上記ハイダイナミックレンジ画像データを受信するデータ受信ステップと、
上記外部機器から、上記データ受信ステップで受信された上記ハイダイナミックレンジ画像データの伝送方式情報および/またはガンマ補正情報を受信する情報受信ステップと、
上記情報受信ステップで受信された上記伝送方式情報および/またはガンマ補正情報に基づいて、上記データ受信ステップで受信されたハイダイナミックレンジ画像データを処理するデータ処理ステップとを有する
ハイダイナミックレンジ画像データ受信方法。
【請求項１９】
コンピュータを、
外部機器から、ハイダイナミックレンジ画像を表示するためのハイダイナミックレンジ画像データを受信するデータ受信手段と、
上記外部機器から、上記データ受信手段で受信されるハイダイナミックレンジ画像データの伝送方式情報および/またはガンマ補正情報を受信する情報受信手段と、
上記情報受信手段で受信された伝送方式情報および/またはガンマ補正情報に基づいて、上記データ受信手段で受信されたハイダイナミックレンジ画像データを処理するデータ処理手段と
して機能させるプログラム。
【発明の詳細な説明】
【技術分野】
【０００１】
この発明は、送信装置、ハイダイナミックレンジ画像データ送信方法、受信装置、ハイダイナミックレンジ画像データ受信方法およびプログラムに関し、詳しくは、ハイダイナミックレンジ画像を表示するためのハイダイナミックレンジ画像データを送信する送信装置等に関する。
【背景技術】
【０００２】
近年、例えば、ＤＶＤ（Digital Versatile Disc）レコーダや、セットトップボックス、その他のＡＶソース（Audio Visual Source）から、テレビ受信機、プロジェクタ、その他のディスプレイに対して、デジタル映像信号、すなわち、非圧縮（ベースバンド）の映像信号（画像データ）と、その映像信号に付随するデジタル音声信号（音声データ）とを、高速に伝送する通信インタフェースとして、ＨＤＭＩ（High Definition Multimedia Interface）が普及しつつある。例えば、非特許文献１には、ＨＤＭＩ規格の詳細についての記載がある。【０００３】
例えば、ソース機器としてのディスクプレーヤとシンク機器としてのテレビ受信機とを、ＨＤＭＩ接続したＡＶシステムなどが考えられる。ディスクプレーヤに記録された画像データは、最大輝度１００ｃｄ／ｍ２という仕様の表示装置で表示されることを想定して輝度調整されている。【０００４】
一方、技術の進歩により、表示装置の最大輝度が従来の１００ｃｄ／ｍ２を超えて１０００ｃｄ／ｍ２程度のものが実用化されており、表示装置の高輝度出力の能力が活かされていない。【０００５】
そこで、画像データの最大輝度処理を１００ｃｄ／ｍ２を超えて輝度ダイナミックレンジ処理を行うハイダイナミックレンジ（ＨＤＲ：High Dynamic Range）処理が提案され、静止画の撮像、ポスト処理では実用化されている。例えば、特許文献１には、ＨＤＲ画像データの記録方式およびその処理に関する提案がされている。
【先行技術文献】
【非特許文献】
【０００６】
【非特許文献１】High-Definition Multimedia Interface Specification Version 1.4b, October 11,2011
【特許文献】
【０００７】
【特許文献１】特開２００５−３５２４８２号公報
【発明の概要】
【発明が解決しようとする課題】
【０００８】
従来、ＨＤＭＩ等のデジタルインタフェースでのハイダイナミックレンジの伝送仕様については何等提案されていない。【０００９】
本技術の目的は、機器間におけるハイダイナミックレンジ画像データの伝送を良好に行い得るようにすることにある。
【課題を解決するための手段】
【００１０】
本技術の概念は、
ハイダイナミックレンジ画像データを、外部機器に送信するデータ送信部と、
上記データ送信部で送信される上記ハイダイナミックレンジ画像データの伝送方式情報および/またはガンマ補正情報を、上記外部機器に送信する情報送信部とを備える
送信装置にある。【００１１】
本技術において、データ送信部により、ハイダイナミックレンジ画像データが、外部機器に送信される。例えば、データ送信部は、外部機器に、ハイダイナミックレンジ画像データを、差動信号により送信する、ようにされてもよい。【００１２】
例えば、ハイダイナミックレンジ画像データは、第１のデータおよび第２のデータを含み、データ送信部は、第１のデータおよび第２のデータを立体画像用に規定された映像フォーマットで構成し、外部機器に送信する、ようにされてもよい。また、例えば、ハイダイナミックレンジ画像データは、第１のデータおよび第２のデータを含み、データ送信部は、第１のデータを第１のフレーム画像として外部機器に送信し、第２のデータを第２のフレーム画像として外部機器に送信する、ようにされてもよい。【００１３】
例えば、ハイダイナミックレンジ画像データは、第１のデータおよび第２のデータを含み、第１のデータはハイダイナミックレンジ画像データの下位８ビットデータであると共に、第２のデータはハイダイナミックレンジ画像データの上位ビットデータであるか、あるいは、第１のデータはハイダイナミックレンジ画像データの上位８ビットデータであると共に、第２のデータはハイダイナミックレンジ画像データの下位ビットデータである、ようにされてもよい。【００１４】
情報送信部により、データ送信部で送信されるハイダイナミックレンジ画像データの伝送方式情報および/またはガンマ補正情報が、外部機器に送信される。例えば、情報送信部は、データ送信部で送信されるハイダイナミックレンジ画像データの伝送方式情報および/またはガンマ補正情報を、このハイダイナミックレンジ画像データのブランキング期間に挿入することで、外部機器に送信する、ようにされてもよい。【００１５】
また、例えば、データ送信部で送信されるハイダイナミックレンジ画像データの伝送方式情報およびガンマ補正情報は、ハイダイナミックレンジ画像データの１００％を超える最大白レベル情報、黒レベル表現時のビット値、１００％白レベル表現時のビット値、ハイダイナミックレンジ処理の実施有無を示すフラグ、１００％白レベル時に想定される受信装置輝度レベル、ハイダイナミックレンジ画像の輝度伸長のために必要な輝度入力レベル、ハイダイナミックレンジ画像の輝度伸長のために必要な伸長輝度出力レベルの少なくとも１つを含む、ようにされてもよい。【００１６】
このように本技術においては、ハイダイナミックレンジ画像データが外部機器に送信されると共に、このハイダイナミックレンジ画像データの伝送方式情報および/またはガンマ補正情報が外部機器に送信されるものである。そのため、外部機器では、例えば、送信されてきたハイダイナミックレンジ画像データがいかなる伝送方式によるものか、いかなるガンマ補正方式によるものかなどを容易に把握でき、従ってハイダイナミックレンジ画像データの伝送を良好に行うことができる。【００１７】
なお、本技術において、例えば、外部機器から送られてくる、この外部機器が対応可能なハイダイナミックレンジ画像データの伝送方式情報および/またはガンマ補正方式情報を受信する情報受信部と、この情報受信部で受信された伝送方式情報および/またはガンマ補正方式情報に基づいて、外部機器が対応可能なハイダイナミックレンジ画像データの伝送方式および/またはガンマ補正方式から所定の伝送方式および/またはガンマ補正方式を選択する方式選択部とをさらに備え、データ送信部は、この方式選択部で選択された伝送方式および/またはガンマ補正方式のハイダイナミックレンジ画像データを、外部機器に送信する、ようにされてもよい。【００１８】
この場合、外部機器に送信されるハイダイナミックレンジ画像データの伝送方式および/またはガンマ補正方式は必ず外部機器が対応可能なものとなる。そのため、ハイダイナミックレンジ画像データの伝送を良好に行うことができる。【００１９】
例えば、情報受信部は、外部機器から送られてくる、ハイダイナミックレンジ画像データの伝送方式情報および/またはガンマ補正情報の伝送方式情報をさらに受信し、情報送信部は、受信された伝送方式情報が示す伝送方式で、ハイダイナミックレンジ画像データの伝送方式情報および/またはガンマ補正情報を外部機器に送信する、ようにされてもよい。この場合、ハイダイナミックレンジ画像データの伝送方式情報および/またはガンマ補正情報を外部機器が対応可能な伝送方式で良好に送ることができる。【００２０】
また、本技術の他の概念は、
外部機器から、ハイダイナミックレンジ画像を表示するためのハイダイナミックレンジ画像データを受信するデータ受信部と、
上記外部機器から、上記データ受信部で受信されるハイダイナミックレンジ画像データの伝送方式情報および/またはガンマ補正情報を受信する情報受信部と、
上記情報受信部で受信された伝送方式情報および/またはガンマ補正情報に基づいて、上記データ受信部で受信されたハイダイナミックレンジ画像データを処理するデータ処理部とを備える
受信装置にある。【００２１】
本技術において、データ受信部により、外部機器から、ハイダイナミックレンジ画像を表示するためのハイダイナミックレンジ画像データが受信される。例えば、データ受信部は、外部機器から、差動信号により、ハイダイナミックレンジ画像データを受信する、ようにされてもよい。【００２２】
情報受信部により、外部機器から、データ受信部で受信されるハイダイナミックレンジ画像データの伝送方式情報および/またはガンマ補正情報が受信される。そして、データ処理部により、情報受信部で受信された伝送方式情報および/またはガンマ補正情報に基づいて、データ受信部で受信されたハイダイナミックレンジ画像データが処理される。【００２３】
例えば、情報受信部は、データ受信部で受信されたハイダイナミックレンジ画像データのブランキング期間から、このハイダイナミックレンジ画像データの伝送方式情報および/またはガンマ補正情報を抽出する、ようにされてもよい。【００２４】
このように本技術においては、送信側から送られてくるハイダイナミックレンジ画像データを同様に送信側から送られてくる伝送方式情報および/またはガンマ補正情報に基づいて処理するものであり、受信されたハイダイナミックレンジ画像データに対して適切な処理を容易に行うことができる。【００２５】
なお、本技術において、例えば、自身が対応可能なハイダイナミックレンジ画像データの伝送方式情報および/またはガンマ補正方式情報を記憶しておく情報記憶部と、この情報記憶部に記憶されている伝送方式情報および/またはガンマ補正方式情報を、外部機器に送信する情報送信部とをさらに備える、ようにされてもよい。このように自身が対応可能なハイダイナミックレンジ画像データの伝送方式情報および/またはガンマ補正方式情報を送信側に送ることで、送信側から自身が対応可能な伝送方式および/またはガンマ補正方式のハイダイナミックレンジ画像データを送ってもらうことが可能となる。【００２６】
例えば、情報記憶部は、表示可能な最大輝度情報、ハイダイナミックレンジ処理可能な最大伸長輝度レベル情報、伸長処理禁止フラグの少なくとも１つをさらに記憶している、ようにされてもよい。【００２７】
また、例えば、情報記憶部は、ハイダイナミックレンジ画像データの伝送方式情報および/またはガンマ補正情報の伝送方式情報をさらに記憶しており、情報送信部は、情報記憶部に記憶されているハイダイナミックレンジ画像データの伝送方式情報および/またはガンマ補正情報の伝送方式情報を外部機器にさらに送信する、ようにされてもよい。これにより、ハイダイナミックレンジ画像データの伝送方式情報および/またはガンマ補正情報を、自身が対応可能な伝送方式で確実に送ってもらうことが可能となる。
【発明の効果】
【００２８】
本技術によれば、機器間におけるハイダイナミックレンジ画像データの伝送を良好に行うことができる。なお、本明細書に記載された効果はあくまで例示であって限定されるものではなく、また付加的な効果があってもよい。
【図面の簡単な説明】
【００２９】
【図１】実施の形態としてのＡＶシステムの構成例を示すブロック図である。
【図２】ディスクプレーヤのＨＤＭＩ送信部と、テレビ受信機のＨＤＭＩ受信部の構成例を示すブロック図である。
【図３】ＴＭＤＳチャネル＃０，＃１，＃２において、横×縦が１９２０ピクセル×１０８０ラインの画像データが伝送される場合の、各種の伝送データの区間を示す図である。
【図４】従来の８ビット伝送方式を説明するための図である。
【図５】ＡＶシステムを構成するディスクプレーヤ（ソース機器）の構成例を示すブロック図である。
【図６】ＡＶシステムを構成するテレビ受信機（シンク機器）の構成例を示すブロック図である。
【図７】ディープカラー（Deep Color）の伝送フォーマットを用いてＨＤＲ画像データを伝送する伝送方式（１）を説明するための図である。
【図８】立体映像フォーマットを用いてＨＤＲ画像データを伝送する伝送方式（２）を説明するための図である。
【図９】ハイフレームレート映像フォーマットを用いてＨＤＲ画像データを伝送する伝送方式（３）を説明するための図である。
【図１０】ＨＤＲガンマ補正方式（１）を説明するための図である。
【図１１】ＨＤＲガンマ補正方式（２）を説明するための図である。
【図１２】ＨＤＲガンマ補正方式（３）を説明するための図である。
【図１３】ＨＤＲガンマ補正方式（４）を説明するための図である。
【図１４】シンク機器（テレビ受信機）に記憶されているＥ−ＥＤＩＤのデータ構造例を示す図である。
【図１５】Ｅ−ＥＤＩＤのＶｅｎｄｅｒ  Ｓｐｅｃｉｆｉｃ領域のデータ構造例を示す図である。
【図１６】Ｅ−ＥＤＩＤのＶｉｄｅｏ  Ｃａｐａｂｉｌｉｔｙ領域のデータ構造例を示す図である。
【図１７】ＨＤＭＩのＶｅｎｄｏｒ Ｓｐｅｃｉｆｉｃ ＩｎｆｏＦｒａｍｅパケットのデータ構造例を示す図である。
【図１８】ＨＤＲ＿Ｍｅｔａ＿Ｔｙｐｅ＝１で伝送されるガンマ補正情報のデータ構造例を示す図である。
【図１９】ＨＤＲ＿Ｍｅｔａ＿Ｔｙｐｅ＝２で伝送されるガンマ補正情報のデータ構造例を示す図である。
【図２０】ＨＤＲ＿Ｍｅｔａ＿Ｔｙｐｅ＝３で伝送されるガンマ補正情報のデータ構造例を示す図である。
【図２１】ＨＤＲ＿Ｍｅｔａ＿Ｔｙｐｅ＝４で伝送されるガンマ補正情報のデータ構造例を示す図である。
【図２２】ＨＤＭＩのＡｕｘｉｌｉａｒｙ  Ｖｉｄｅｏ ＩｎｆｏＦｒａｍｅパケットのデータ構造例を示す図である。
【図２３】ＨＤＭＩのＤｙｎａｍｉｃ  Ｒａｎｇｅ ＩｎｆｏＦｒａｍｅパケットのデータ構造例を示す図である。
【図２４】整数および対数で設定されるガンマ補正情報のデータ構造の一例を示す図である。
【図２５】ソース機器（ディスクプレーヤ）でのＨＤＲ伝送方式の選択処理例を示すフローチャートである。
【図２６】ソース機器（ディスクプレーヤ）でのＨＤＲガンマ補正情報の伝送方式の選択処理例を示すフローチャートである。
【図２７】ＤＰインタフェースを用いたＤＰシステムの構成例を示すブロック図である。
【図２８】ＭＨＬインタフェースを用いたＭＨＬシステムの構成例を示すブロック図である。
【発明を実施するための形態】
【００３０】
以下、発明を実施するための形態（以下、「実施の形態」とする）について説明する。なお、説明を以下の順序で行う。
１．実施の形態
２．変形例
【００３１】
＜１．実施の形態＞
［ＡＶシステムの構成例］
図１は、実施の形態としてのＡＶ（Audio Visual）システム１０の構成例を示している。このＡＶシステム１０は、ソース機器としてのディスクプレーヤ１１と、シンク機器としてのテレビ受信機１２とを有している。ディスクプレーヤ１１およびテレビ受信機１２は、伝送路としてのＨＤＭＩケーブル１３を介して接続されている。
【００３２】
ディスクプレーヤ１１には、ＨＤＭＩ送信部（ＨＤＭＩＴＸ）１１ｂおよび高速バスインタフェース（高速バスＩ/Ｆ）１１ｃが接続されたＨＤＭＩ端子１１ａが設けられている。テレビ受信機１２には、ＨＤＭＩ受信部（ＨＤＭＩ ＲＸ）１２ｂおよび高速バスインタフェース（高速バスＩ/Ｆ）１２ｃが接続されたＨＤＭＩ端子１２ａが設けられている。ＨＤＭＩケーブル１３の一端はディスクプレーヤ１１のＨＤＭＩ端子１１ａに接続され、このＨＤＭＩケーブル１３の他端はテレビ受信機１２のＨＤＭＩ端子１２ａに接続されている。
【００３３】
図１に示すＡＶシステム１０において、ディスクプレーヤ１１で再生されて得られた非圧縮の画像データはＨＤＭＩケーブル１３を介してテレビ受信機１２に送信され、このテレビ受信機１２ではディスクプレーヤ１１から送信された画像データによる画像が表示される。また、ディスクプレーヤ１１で再生されて得られた非圧縮の音声データはＨＤＭＩケーブル１３を介してテレビ受信機１２に送信され、このテレビ受信機１２ではディスクプレーヤ１１から送信された音声データによる音声が出力される。
【００３４】
図２は、図１のＡＶシステム１０における、ディスクプレーヤ１１のＨＤＭＩ送信部１１ｂと、テレビ受信機１２のＨＤＭＩ受信部１２ｂの構成例を示している。ＨＤＭＩ送信部１１ｂは、一の垂直同期信号から次の垂直同期信号までの区間から、水平帰線区間１５および垂直帰線区間１６を除いた区間である有効画像区間１４（以下、適宜、アクティブビデオ区間ともいう）（図３参照）において、非圧縮の１画面分の画像の画素データに対応する差動信号を、複数のチャネルで、ＨＤＭＩ受信部１２ｂに一方向に送信する。また、ＨＤＭＩ送信部１１ｂは、水平帰線区間１５または垂直帰線区間１６において、少なくとも画像に付随する音声データや制御データ、その他の補助データ等に対応する差動信号を、複数のチャネルで、ＨＤＭＩ受信部１２ｂに一方向に送信する。
【００３５】
すなわち、ＨＤＭＩ送信部１１ｂは、ＨＤＭＩトランスミッタ２１を有する。トランスミッタ２１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部１２ｂに、一方向にシリアル伝送する。
【００３６】
また、トランスミッタ２１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部１２ｂに一方向にシリアル伝送する。さらに、トランスミッタ２１は、３つのＴＭＤＳチャネル＃０，＃１，＃２で送信する画素データに同期したピクセルクロックを、ＴＭＤＳクロックチャネルで、ＨＤＭＩ受信部１２ｂに送信する。ここで、１つのＴＭＤＳチャネル＃ｉ（ｉ＝０，１，２）では、ピクセルクロックの１クロックの間に、１０ビットの画素データが送信される。
【００３７】
ＨＤＭＩ受信部１２ｂは、アクティブビデオ区間１４（図３参照）において、複数のチャネルで、ＨＤＭＩ送信部１１ｂから一方向に送信されてくる、画素データに対応する差動信号を受信する。また、ＨＤＭＩ受信部１２ｂは、水平帰線区間１５（図３参照）または垂直帰線区間１６（図３参照）において、複数のチャネルで、ＨＤＭＩ送信部１１ｂから一方向に送信されてくる、音声データや制御データに対応する差動信号を受信する。
【００３８】
すなわち、ＨＤＭＩ受信部１２ｂは、ＨＤＭＩレシーバ２２を有する。レシーバ２２は、ＴＭＤＳチャネル＃０，＃１，＃２で、ＨＤＭＩケーブル１３を介して接続されているＨＤＭＩ送信部１１ｂから一方向に送信されてくる、画素データに対応する差動信号と、音声データや制御データに対応する差動信号を、受信する。この際、同じくＨＤＭＩ送信部１１ｂからＴＭＤＳクロックチャネルで送信されてくるピクセルクロックに同期して受信する。
【００３９】
ＨＤＭＩソース送信部１１ｂとＨＤＭＩ受信部１２ｂとからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）２３やＣＥＣ（Consumer Electronics Control）ライン２４と呼ばれる伝送チャネルがある。
【００４０】
ＤＤＣ２３は、ＨＤＭＩケーブル１３に含まれる２本の信号線からなり、ＨＤＭＩ送信部１１ｂが、ＨＤＭＩケーブル１３を介して接続されたＨＤＭＩ受信部１２ｂから、Ｅ−ＥＤＩＤ（Enhanced Extended Display Identification Data）を読み出すために使用される。すなわち、ＨＤＭＩ受信部１２ｂは、ＨＤＭＩレシーバ２２の他に、自身の性能（Configuration・Capability）に関する性能情報であるＥ−ＥＤＩＤを記憶している、ＥＤＩＤ  ＲＯＭ（Read Only Memory）を有している。
【００４１】
ＨＤＭＩ送信部１１ｂは、ＨＤＭＩケーブル１３を介して接続されているＨＤＭＩ受信部１２ｂから、当該ＨＤＭＩ受信部１２ｂのＥ−ＥＤＩＤを、ＤＤＣ２３を介して読み出す。そして、ＨＤＭＩ送信部１１ｂは、そのＥ−ＥＤＩＤに基づき、ＨＤＭＩ受信部１２ｂの性能の設定、すなわち、例えば、ＨＤＭＩ受信部１２ｂを有する電子機器が対応している画像のフォーマット（プロファイル）、例えば、ＲＧＢ、ＹＣｂＣｒ４：４：４、ＹＣｂＣｒ４：２：２等を認識する。
【００４２】
ＣＥＣライン２４は、ＨＤＭＩケーブル１３に含まれる１本の信号線からなり、ＨＤＭＩ送信部１１ｂとＨＤＭＩ受信部１２ｂとの間で、制御用のデータの双方向通信を行うために用いられる。また、ＨＤＭＩケーブル１３には、ＨＰＤ（Hot Plug Detect）と呼ばれるピンに接続されるライン（ＨＰＤライン）２５が含まれている。
【００４３】
ソース機器は、このライン２５を利用して、直流バイアス電位により、シンク機器の接続を検出することができる。この場合、ＨＰＤラインは、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【００４４】
また、ＨＤＭＩケーブル１３には、ソース機器からシンク機器に電源を供給するために用いられるライン（電源ライン）２６が含まれている。さらに、ＨＤＭＩケーブル１３には、リザーブライン２７が含まれている。ＨＰＤライン２５とリザーブライン２７を用いて、一対の差動伝送路を構成し、双方向通信路として用いる場合もある。
【００４５】
図３は、ＴＭＤＳチャネル＃０，＃１，＃２において、横×縦が１９２０ピクセル×１０８０ラインの画像データが伝送される場合の、各種の伝送データの区間を示している。ＨＤＭＩの３つのＴＭＤＳチャネル＃０，＃１，＃２で伝送データが伝送されるビデオフィールド（Video Field）には、伝送データの種類に応じて、ビデオデータ区間１７（Video Data Period）、データアイランド区間１８（Data Island Period）、およびコントロール区間１９（Control Period）の３種類の区間が存在する。
【００４６】
ここで、ビデオフィールド区間は、ある垂直同期信号の立ち上がりエッジ（Active Edge）から次の垂直同期信号の立ち上がりエッジまでの区間であり、水平帰線期間１５（Horizontal Blanking）、垂直帰線期間１６（Vertical Blanking）、並びに、ビデオフィールド区間から、水平帰線期間および垂直帰線期間を除いた区間である有効画素区間１４（Active Video）に分けられる。
【００４７】
ビデオデータ区間１７は、有効画素区間１４に割り当てられる。このビデオデータ区間１７では、非圧縮の１画面分の画像データを構成する１９２０ピクセル（画素）×１０８０ライン分の有効画素（Active Pixel）のデータが伝送される。データアイランド区間１８およびコントロール区間１９は、水平帰線期間１５および垂直帰線期間１６に割り当てられる。このデータアイランド区間１８およびコントロール区間１９では、補助データ（Auxiliary Data）が伝送される。
【００４８】
すなわち、データアイランド区間１８は、水平帰線期間１５と垂直帰線期間１６の一部分に割り当てられている。このデータアイランド区間１８では、補助データのうち、制御に関係しないデータである、例えば、音声データのパケット等が伝送される。コントロール区間１９は、水平帰線期間１５と垂直帰線期間１６の他の部分に割り当てられている。このコントロール区間１９では、補助データのうちの、制御に関係するデータである、例えば、垂直同期信号および水平同期信号、制御パケット等が伝送される。
【００４９】
この実施の形態において、ディクスプレーヤ１１は、テレビ受信機１２から、ＨＤＭＩケーブル１３を介して、このテレビ受信機１２が対応可能なハイダイナミックレンジ画像データの伝送方式情報およびガンマ補正方式情報を受信する。以下、ハイダイナミックレンジを適宜「ＨＤＲ」と略記する。この場合、テレビ受信機１２は、自身が対応するＨＤＲ画像データの伝送方式情報およびガンマ補正方式情報を記憶部に記憶しており、この伝送方式情報およびガンマ補正方式情報を、ＨＤＭＩケーブル１３を介してディスクプレーヤ１１に送信する。なお、従来は、ＨＤＲ画像の伝送仕様がなく、メーカー間での互換性がなかった。
【００５０】
ディスクプレーヤ１１は、テレビ受信機１２から受信した伝送方式情報およびガンマ補正方式情報に基づいて、テレビ受信機が対応可能なＨＤＲ画像データの伝送方式から所定の伝送方式およびガンマ補正方式を選択する。この場合、ディスクプレーヤ１１は、例えば、テレビ受信機１２が対応可能なＨＤＲ画像データの伝送方式およびガンマ補正方式が複数ある場合には、最も画質劣化の少ない伝送方式および最も近似が容易なガンマ補正方式を選択する。
【００５１】
ディスクプレーヤ１１は、選択した伝送方式およびガンマ補正方式のＨＤＲ画像データを、ＨＤＭＩケーブル１３を介してテレビ受信機１２に送信する。この際、ディスクプレーヤ１１は、送信するＨＤＲ画像データの伝送方式情報およびガンマ補正情報を、ＨＤＭＩケーブル１３を介してテレビ受信機１２に送信する。
【００５２】
テレビ受信機１２は、ディクスプレーヤ１１から、ＨＤＭＩケーブル１３を介して、ＨＤＲ画像データを受信すると共に、その伝送方式情報およびガンマ補正情報を受信する。テレビ受信機１２は、受信したＨＤＲ画像データを、受信した伝送方式情報およびガンマ補正情報に基づいて処理し、表示用のＨＤＲ画像データを生成する。自然界の物体の最大輝度は２０００ｃｄ/ｍ２ 以上にも達する。
【００５３】
従来、例えば、ディスクプレーヤに記録されている画像データは最大輝度１００ｃｄ/ｍ２ という仕様の表示装置で表示されることを想定して輝度調整されている。つまり、従来は、自然界の輝度値に比べて画像データでは輝度が大幅に圧縮されている。また、表示装置の最大輝度が従来の１００ｃｄ/ｍ２を超えて１０００ｃｄ/ｍ２ 程度のものが実用化されている。元々１００ｃｄ/ｍ２ で調整された画像データを表示装置で１０００ｃｄ/ｍ２ に合わせて輝度値を上げる処理を行うと画質に問題が生じる。
【００５４】
ＨＤＲ画像は、白レベル輝度１００％以上の高輝度の画像を表現するために提案されている。通常の白レベル輝度１００％は８ビットシステムではビット値が２３５または２５５で表現される。白レベル輝度１００％を超える輝度を表現するためには階調８ビット以上のビット数が必要になる。つまり、ＨＤＲ画像データは、１０ビット、１２ビット、１６ビットなどの画像データとなる。
【００５５】
図４は、従来の８ビット伝送方式の概念図を示している。図４(ａ)は、元の１０ビットのＨＤＲ画像データの輝度レベルとそのときのビット値の一例を示している。図４（ｂ）は、１０ビットのＨＤＲ画像データを８ビット伝送方式で伝送するために変換された８ビットの画像データの輝度レベルとそのときのビット値の一例を示している。この場合、輝度レベル１００％を８ビット値の「２３５」に割り当てるため、輝度２００％は８ビット値の最大値である「２５５」となり、輝度圧縮が行われ、輝度１０８％を超える情報が失われる。
【００５６】
［ディスクプレーヤの構成例］
図５は、ディスクプレーヤ１１の構成例を示している。このディスクプレーヤ１１は、ＨＤＭＩ端子１１ａと、ＨＤＭＩ送信部１１ｂと、高速バスインタフェース１１ｃを有している。また、このディスクプレーヤ１１は、ＣＰＵ（Central Processing Unit）１０４と、内部バス１０５と、フラッシュＲＯＭ（Read Only Memory）１０６と、ＳＤＲＡＭ（Synchronous Random Access Memory）１０７と、リモコン受信部１０８と、リモコン送信機１０９を有している。
【００５７】
また、ディスクプレーヤ１１は、ＳＡＴＡ（Serial Advanced Technology Attachment）インタフェース１１０と、ＢＤ(Blu-Ray Disc)ドライブ１１１と、イーサネットインタフェース（Ethernet I/F）１１２と、ネットワーク端子１１３を有している。また、ディスクプレーヤ１１は、ＭＰＥＧ(Moving Picture Expert Group)デコーダ１１５と、グラフィック生成回路１１６と、映像出力端子１１７と、音声出力端子１１８と、ＨＤＲ処理回路１１４を有している。
【００５８】
また、ディスクプレーヤ１１は、表示制御部１２１と、パネル駆動回路１２２と、表示パネル１２３と、電源部１２４を有していてもよい。なお、「イーサネット」および「Ｅｔｈｅｒｎｅｔ」は登録商標である。高速バスインタフェース１１ｃ、ＣＰＵ１０４、フラッシュＲＯＭ１０６、ＳＤＲＡＭ１０７、リモコン受信部１０８、ＳＡＴＡインタフェース１１０、イーサネットインタフェース１１２およびＭＰＥＧデコーダ１１５は、内部バス１０５に接続されている。
【００５９】
ＣＰＵ１０４は、ディスクプレーヤ１１の各部の動作を制御する。フラッシュＲＯＭ１０６は、制御ソフトウェアの格納およびデータの保管を行う。ＳＤＲＡＭ１０７は、ＣＰＵ１０４のワークエリアを構成する。ＣＰＵ１０４は、フラッシュＲＯＭ１０６から読み出したソフトウェアやデータをＳＤＲＡＭ１０７上に展開してソフトウェアを起動させ、ディスクプレーヤ１１の各部を制御する。
【００６０】
リモコン受信部１０８は、リモコン送信機１０９から送信されたリモーコントロール信号（リモコンコード）を受信し、ＣＰＵ１０４に供給する。ＣＰＵ１０４は、リモコンコードに従ってディスクプレーヤ１１の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００６１】
ＢＤドライブ１１１は、ディスク状記録メディアとしてのＢＤディスク（図示せず）に対して、コンテンツデータを記録し、あるいは、このＢＤディスクからコンテンツデータを再生する。このＢＤドライブ１１１は、ＳＡＴＡインタフェース１１０を介して内部バス１０５に接続されている。ＭＰＥＧデコーダ１１５は、ＢＤドライブ１１１で再生されたＭＰＥＧ２ストリームに対してデコード処理を行って画像および音声のデータを得る。
【００６２】
グラフィック生成回路１１６は、ＭＰＥＧデコーダ１１５で得られた画像データに対して、必要に応じてグラフィックスデータの重畳処理等を行う。映像出力端子１１７は、グラフィック生成回路１１６から出力される画像データを出力する。音声出力端子１１８は、ＭＰＥＧデコーダ１１５で得られた音声データを出力する。
【００６３】
パネル駆動回路１２２は、グラフィック生成回路２６０から出力される映像（画像）データに基づいて、表示パネル１２３を駆動する。表示制御部１２１は、グラフィクス生成回路１１６やパネル駆動回路１２２を制御して、表示パネル１２３における表示を制御する。表示パネル１２３は、例えば、ＬＣＤ(Liquid Crystal Display)、ＰＤＰ(Plasma Display Panel)有機ＥＬ（Organic Electro-Luminescence）パネル等で構成されている。
【００６４】
なお、この実施の形態では、ＣＰＵ１０４の他に表示制御部１２１を有する例を示しているが、表示パネル１２３における表示をＣＰＵ１０４が直接制御するようにしてもよい。また、ＣＰＵ１０４と表示制御部１２１は、１つのチップになっていても、複数コアであってもよい。電源部１２４は、ディスクプレーヤ１１の各部に電源を供給する。この電源部１２４は、ＡＣ電源であっても、電池（蓄電池、乾電池）であってもよい。
【００６５】
ＨＤＭＩ送信部（ＨＤＭＩソース）１１ｂは、ＨＤＭＩに準拠した通信により、ベースバンドの画像（映像）と音声のデータを、ＨＤＭＩ端子１１ａから送出する。高速バスインインタフェース１１ｃは、ＨＤＭＩケーブル１３を構成する所定ライン（この実施の形態においては、リザーブライン、ＨＰＤライン）を用いて構成される双方向通信路のインタフェースである。
【００６６】
この高速バスインタフェース１１ｃは、イーサネットインタフェース１１２とＨＤＭＩ端子１０１との間に挿入されている。この高速バスインタフェース１１ｃは、ＣＰＵ１０４から供給される送信データを、ＨＤＭＩ端子１０１からＨＤＭＩケーブル１３を介して相手側の機器に送信する。また、この高速バスインタフェース１１ｃは、ＨＤＭＩケーブル１３からＨＤＭＩ端子１１ａを介して相手側の機器から受信された受信データをＣＰＵ１０４に供給する。
【００６７】
ＨＤＲ処理回路１１４は、ＭＰＥＧデコーダ１１５で得られた画像データのうち、ＨＤＲ画像を表示するためのＨＤＲ画像データをＨＤＭＩのＴＭＤＳチャネルで送信する際に、このＨＤＲ画像データを伝送方式に応じた状態に加工処理する。ここで、ＨＤＲ画像データは、例えば、ディープカラー（Deep Color）の画像フォーマットに準じて構成されるか、あるいは立体画像データフォーマットに準じて構成されるか、あるいはハイフレームレート画像フォーマットに準じて構成される。ＨＤＲ処理回路１１４とＨＤＭＩ送信部１１ｂは、１つのチップになっていても、複数コアであってもよい。ＨＤＲ画像データの伝送方式の種類、伝送方式の選択、各方式のパッキングフォーマット等の詳細は後述する。
【００６８】
図５に示すディスクプレーヤ１１の動作を簡単に説明する。記録時には、図示されないデジタルチューナを介して、あるいはネットワーク端子１１３からイーサネットインタフェース１１２を介して、あるいはＨＤＭＩ端子１１ａから高速バスインタフェース１１ｃを介して、記録すべきコンテンツデータが取得される。このコンテンツデータは、ＳＡＴＡインタフェース１１０に入力され、ＢＤドライブ１１１によりＢＤディスクに記録される。場合によっては、このコンテンツデータは、ＳＡＴＡインタフェース１１０に接続された、図示されないＨＤＤ（ハードディスクドライブ）に記録されてもよい。
【００６９】
再生時には、ＢＤドライブ１１１によりＢＤディスクから再生されたコンテンツデータ（ＭＰＥＧストリーム）は、ＳＡＴＡインタフェース１１０を介してＭＰＥＧデコーダ１１５に供給される。ＭＰＥＧデコーダ１１５では、再生されたコンテンツデータに対してデコード処理が行われ、ベースバンドの画像および音声のデータが得られる。画像データは、グラフィック生成回路１１６を通じて映像出力端子１１７に出力される。また、音声データは、音声出力端子１１８に出力される。
【００７０】
また、再生時には、ＭＰＥＧデコーダ１１５で得られた画像データが、ユーザ操作に応じて、グラフィック生成回路１１６を通じてパネル駆動回路１２２に供給され、表示パネル１２３に再生画像が表示される。また、ＭＰＥＧデコーダ１１５で得られた音声データが、ユーザ操作に応じて、図示しないスピーカに供給され、再生画像に対応した音声が出力される。
【００７１】
また、この再生時に、ＭＰＥＧデコーダ１１５で得られた画像および音声のデータをＨＤＭＩのＴＭＤＳチャネルで送信する場合には、これら画像および音声のデータは、ＨＤＭＩ送信部１１ｂに供給されてパッキングされ、このＨＤＭＩ送信部１１ｂからＨＤＭＩ端子１１ａに出力される。
【００７２】
なお、画像データがＨＤＲ画像データである場合には、このＨＤＲ画像データは、ＨＤＲ処理回路１１４により、選択された伝送方式に応じた状態に加工処理された後に、ＨＤＭＩ送信部１１ｂに供給される。また、再生時に、ＢＤドライブ１１１で再生されたコンテンツデータをネットワークに送出する際には、このコンテンツデータは、イーサネットインタフェース１１２を介して、ネットワーク端子１１３に出力される。同様に、再生時に、ＢＤドライブ１１１で再生されたコンテンツデータをＨＤＭＩケーブル１３の双方向通信路に送出する際には、当該コンテンツデータは、高速バスインタフェース１１ｃを介して、ＨＤＭＩ端子１１ａに出力される。ここで、画像データを出力する前に、著作権保護技術、例えばＨＤＣＰ、ＤＴＣＰ、ＤＴＣＰ＋などを用いて暗号化してから伝送してもよい。
【００７３】
［テレビ受信機の構成例］
図６は、テレビ受信機１２の構成例を示している。このテレビ受信機１２は、ＨＤＭＩ端子１２ａと、ＨＤＭＩ受信部１２ｂと、高速バスインタフェース１２ｃと、ＨＤＲ処理回路２０４とを有している。また、テレビ受信機１２は、アンテナ端子２０５と、デジタルチューナ２０６と、ＭＰＥＧデコーダ２０７と、映像信号処理回路２０８と、グラフィック生成回路２０９と、パネル駆動回路２１０と、表示パネル２１１とを有している。
【００７４】
また、テレビ受信機１２は、音声信号処理回路２１２と、音声増幅回路２１３と、スピーカ２１４と、内部バス２２０と、ＣＰＵ２２１と、フラッシュＲＯＭ２２２と、ＳＤＲＡＭ（Synchronous Random Access Memory）２２３とを有している。また、テレビ受信機１２は、イーサネットインタフェース（Ethernet I/F）２２４と、ネットワーク端子２２５と、リモコン受信部２２６と、リモコン送信機２２７とを有している。また、テレビ受信機１２は、表示制御部２３１と、電源部２３２を有している。なお、「イーサネット」および「Ｅｔｈｅｒｎｅｔ」は登録商標である。
【００７５】
アンテナ端子２０５は、受信アンテナ（図示せず）で受信されたテレビ放送信号を入力する端子である。デジタルチューナ２０６は、アンテナ端子２０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【００７６】
また、デジタルチューナ２０６は、得られたトランスポートストリームから、ＰＳＩ／ＳＩ（Program Specific Information／Service Information）を取り出し、ＣＰＵ２２１に出力する。デジタルチューナ２０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００７７】
ＭＰＥＧデコーダ２０７は、デジタルチューナ２０６で得られる映像データのＴＳパケットにより構成される映像ＰＥＳ（Packetized Elementary Stream）パケットに対してデコード処理を行って画像データを得る。また、ＭＰＥＧデコーダ２０７は、デジタルチューナ２０６で得られる音声データのＴＳパケットにより構成される音声ＰＥＳパケットに対してデコード処理を行って音声データを得る。
【００７８】
映像信号処理回路２０８およびグラフィック生成回路２０９は、ＭＰＥＧデコーダ２０７で得られた画像データ、あるいはＨＤＭＩ受信部１２ｂで受信された画像データに対して、必要に応じてスケーリング処理（解像度変換処理）、グラフィックスデータの重畳処理、ＨＤＲ画像データのガンマ補正等を行う。
【００７９】
パネル駆動回路２１０は、グラフィック生成回路２０９から出力される映像（画像）データに基づいて、表示パネル２１１を駆動する。表示制御部２３１は、グラフィクス生成回路２０９やパネル駆動回路２１０を制御して、表示パネル２１１における表示を制御する。表示パネル２１１は、例えば、ＬＣＤ(Liquid Crystal Display)、ＰＤＰ(Plasma Display Panel)、有機ＥＬ（Organic Electro-Luminescence）パネル等で構成されている。
【００８０】
なお、この実施の形態では、ＣＰＵ２２１の他に表示制御部２３１を有する例を示しているが、表示パネル２１１における表示をＣＰＵ２２１が直接制御するようにしてもよい。また、ＣＰＵ２２１と表示制御部２３１は、１つのチップになっていても、複数コアであってもよい。電源部２３２は、テレビ受信機１２の各部に電源を供給する。この電源部２３２は、ＡＣ電源であっても、電池（蓄電池、乾電池）であってもよい。
【００８１】
音声信号処理回路２１２はＭＰＥＧデコーダ２０７で得られた音声データに対してＤ／Ａ変換等の必要な処理を行う。音声増幅回路２１３は、音声信号処理回路２１２から出力される音声信号を増幅してスピーカ２１４に供給する。なお、スピーカ２１４は、モノラルでもステレオでもよい。また、スピーカ２１４は、１つでもよく、２つ以上でもよい。また、スピーカ２１４は、イヤホン、ヘッドホンでもよい。また、スピーカ２１４は、２．１チャネルや、５．１チャネルなどに対応するものであってもよい。また、スピーカ２１４は、テレビ受信機１２と無線で接続してもよい。また、スピーカ２１４は、他機器であってもよい。
【００８２】
ＣＰＵ２２１は、テレビ受信機１２の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＳＤＲＡＭ２２３上に展開してソフトウェアを起動させ、テレビ受信機１２の各部を制御する。
【００８３】
リモコン受信部２２６は、リモコン送信機２２７から送信されたリモーコントロール信号（リモコンコード）を受信し、ＣＰＵ２２１に供給する。ＣＰＵ２２１は、このリモコンコードに基づいて、テレビ受信機１２の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【００８４】
ネットワーク端子２２５は、ネットワークに接続する端子であり、イーサネットインタフェース２２４に接続される。高速バスインタフェース１２ｃ、ＣＰＵ２２１、フラッシュＲＯＭ２２２、ＳＤＲＡＭ２２３、イーサネットインタフェース２２４、ＭＰＥＧデコーダ２０７および表示制御部２３１は、内部バス２２０に接続されている。
【００８５】
ＨＤＭＩ受信部（ＨＤＭＩシンク）１２ｂは、ＨＤＭＩに準拠した通信により、ＨＤＭＩケーブル１３を介してＨＤＭＩ端子１２ａに供給されるベースバンドの画像（映像）と音声のデータを受信する。高速バスインタフェース１２ｃは、上述したディスクプレーヤ１１の高速バスインタフェース１１ｃと同様に、ＨＤＭＩケーブル１３を構成する所定ライン（この実施の形態においては、リザーブライン、ＨＰＤライン）を用いて構成される双方向通信路のインタフェースである。
【００８６】
この高速バスインタフェース１２ｃは、イーサネットインタフェース２２４とＨＤＭＩ端子２０１との間に挿入されている。この高速バスインタフェース１２ｃは、ＣＰＵ２２１から供給される送信データを、ＨＤＭＩ端子１２ａからＨＤＭＩケーブル１３を介して相手側の機器に送信する。また、この高速バスインタフェース１２ｃは、ＨＤＭＩケーブル１３からＨＤＭＩ端子１２ａを介して相手側の機器から受信された受信データをＣＰＵ２２１に供給する。
【００８７】
ＨＤＲ処理回路２０４は、ＨＤＭＩ受信部２０２で受信された画像データが、ＨＤＲ画像データである場合には、そのＨＤＲ画像データに対して、伝送方式に対応した処理（デコード処理）を行って、ＨＤＲ画像データを生成する。すなわち、このＨＤＲ処理回路２０４は、上述したディスクプレーヤ１１のＨＤＲ処理回路１１４とは逆の処理を行って、ＨＤＲ画像データを構成するデータを取得する。ＨＤＲ処理回路２０４とＨＤＭＩ受信部２０２、またはＨＤＲ処理回路２０４と映像信号処理回路２０８は、１つのチップになっていても、複数コアであってもよい。
【００８８】
また、このＨＤＲ処理回路２０４は、ＨＤＲ画像の下位８ビットの画像データで構成される第１のデータおよびＨＤＲ画像の上位ビットの画像データで構成される第２のデータから、あるいはＨＤＲ画像の上位８ビットの画像データで構成される第１のデータおよびＨＤＲ画像の下位ビットの画像データで構成される第２のデータから、ＨＤＲ画像データを生成する演算を行う。
【００８９】
なお、例えば、受信されたコンテンツデータをネットワークに送出する際には、このコンテンツデータは、イーサネットインタフェース２２４を介して、ネットワーク端子２２５に出力される。同様に、受信されたコンテンツデータをＨＤＭＩケーブル１３の双方向通信路に送出する際には、当該コンテンツデータは、高速バスインタフェース１２ｃを介して、ＨＤＭＩ端子１２ａに出力される。ここで、画像データを出力する前に、著作権保護技術、例えばＨＤＣＰ、ＤＴＣＰ、ＤＴＣＰ＋などを用いて暗号化してから伝送してもよい。
【００９０】
図６に示すテレビ受信機１２の動作を簡単に説明する。アンテナ端子２０５に入力されたテレビ放送信号はデジタルチューナ２０６に供給される。このデジタルチューナ２０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ２０７に供給される。
【００９１】
ＭＰＥＧデコーダ２０７では、映像データのＴＳパケットにより構成される映像ＰＥＳパケットに対してデコード処理が行われて映像データが得られる。この映像データは、映像信号処理回路２０８およびグラフィック生成回路２０９において、必要に応じて、スケーリング処理（解像度変換処理）、グラフィックスデータの重畳処理等が行われた後に、パネル駆動回路２１０に供給される。そのため、表示パネル２１１には、ユーザの選択チャネルに対応した画像が表示される。
【００９２】
また、ＭＰＥＧデコーダ２０７では、音声データのＴＳパケットにより構成される音声ＰＥＳパケットに対してデコード処理が行われて音声データが得られる。この音声データは、音声信号処理回路２１２でＤ／Ａ変換等の必要な処理が行われ、さらに、音声増幅回路２１３で増幅された後に、スピーカ２１４に供給される。そのため、スピーカ２１４から、ユーザの選択チャネルに対応した音声が出力される。
【００９３】
また、ネットワーク端子２２５からイーサネットインタフェース２２４に供給される、あるいは、ＨＤＭＩ端子１２ａから高速バスインタフェース１２ｃを介して供給されるコンテンツデータ（画像データ、音声データ）は、ＭＰＥＧデコーダ２０７に供給される。以降は、上述したテレビ放送信号の受信時と同様の動作となり、表示パネル２１１に画像が表示され、スピーカ２１４から音声が出力される。
【００９４】
また、ＨＤＭＩ受信部１２ｂでは、ＨＤＭＩ端子１２ａにＨＤＭＩケーブル１３を介して接続されているディスクプレーヤ１１から送信されてくる、画像データおよび音声データが取得される。画像データは、ＨＤＲ処理回路２０４を介して映像信号処理回路２０８に供給される。また、音声データは、直接、音声信号処理回路２１２に供給される。以降は、上述したテレビ放送信号の受信時と同様の動作となり、表示パネル２１１に画像が表示され、スピーカ２１４から音声が出力される。
【００９５】
なお、ＨＤＭＩ受信部１２ｂで受信された画像データがＨＤＲ画像データである場合には、ＨＤＲ処理回路２０４において、当該ＨＤＲ画像データに対して伝送方式に対応した処理（デコード処理）が行われ、ＨＤＲ画像データが生成される。そして、ＨＤＲ処理回路２０４から映像信号処理部２０８には、ＨＤＲ画像データが供給される。また、映像信号処理回路２０８では、ＨＤＲ画像データが供給される場合には、ＨＤＲ画像データに基づいて、ＨＤＲ画像を表示するための画像データが生成され、ＨＤＭＩ受信部１２ｂで受信したガンマ補正情報に基づきガンマ補正が行われる。そのため、表示パネル２１１には、ＨＤＲ画像が表示される。
【００９６】
［ＨＤＲ画像データの伝送方式］
次に、ＨＤＲ画像データの伝送方式について説明する。最初に、原信号のＨＤＲ画像データが、８ビット以上の画像データで構成される場合について説明する。ここでは、図７〜図９に示すように、ＨＤＲ画像データが、それぞれ、１９２０×１０８０ｐのピクセルフォーマットの画像データである場合を例にとって説明する。
【００９７】
この原信号を、ベースバンドデジタルインタフェースで伝送する際、例えば、以下の３通りの伝送方式が考えられる。これらの方式は、原信号の品位を低下させることなく伝送が可能であることから、最も望ましい方式である。しかし、伝送帯域が１９２０×１０８０ｐの８ビットピクセルフォーマットの画像データの１．２倍以上必要となることから、伝送帯域に余裕がある際に可能となる。
【００９８】
伝送方式（１）は、図７に示すように、ディープカラー（Deep Color）の伝送フォーマットを用いて伝送する方式である。この場合、画像フォーマットは１９２０×１０８０ｐのピクセルフォーマットを選択し、後述する“ＤＣ−４８ｂｉｔ”、“ＤＣ−３６ｂｉｔ”、および“ＤＣ−３０ｂｉｔ”のいずれかの１つの１ピクセル当たりのビット数を指定する情報および新たに定義するＨＤＲ伝送方式情報と共に伝送する。この場合、１ピクセルクロックで全てのピクセルデータは伝送できないため、ＨＤＲ処理回路１１４またはＨＤＭＩ送信部１１ｂにてピクセルマッピング処理が必要となる。
【００９９】
伝送方式（２）は、図８に示すように、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する方式である。この場合、映像フォーマットとして、１９２０×１０８０ｐのフレームパッキングという映像フォーマットを指定し、立体映像フォーマットの指定は行わず、新たに定義するＨＤＲ伝送方式情報と共に伝送する。この場合、ＨＤＲ処理回路１１４にて、下位８ビットの画像データと上位ビットの画像データのスライス処理および所定の立体映像フォーマットへのビットマッピング処理が必要となる。
【０１００】
なお、上述では、ＨＤＲ画像データの残りの上位ビット分を立体映像フォーマットの右眼画像データ領域へ配置して伝送する旨を説明した。すなわち、ＨＤ画像データの残りの上位ビットは、ＨＤＲ画像データが１０ビット、１２ビット、１６ビットの画像データであるとき、それぞれ、２ビット、４ビット、８ビットとなる。この残りの上位ビットの代わりに、ＨＤＲ画像データの上位８ビット分を立体映像フォーマットの右眼画像データ領域へ配置して伝送することも考えられる。
【０１０１】
また、上述では、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する旨を説明した。しかし、ＨＤＲ画像データの下位８ビット分を立体映像フォーマットの右眼画像データ領域へ配置し、ＨＤＲ画像データの残りの上位ビット分を立体映像フォーマットの左眼画像データ領域へ配置して伝送することも考えられる。
【０１０２】
また、上述では、ＨＤＲ画像データの下位８ビット分を立体映像フォーマットの左眼画像データ領域へ配置し、ＨＤＲ画像データの残りの上位ビット分を立体映像フォーマットの右眼画像データ領域へ配置して伝送する旨を説明した。しかし、ＨＤＲ画像データの上位８ビット分を立体映像フォーマットの左眼画像データ領域へ配置し、ＨＤＲ画像データの残りの下位ビット分を立体映像フォーマットの右眼画像データ領域へ配置して伝送することも考えられる。
【０１０３】
伝送方式（３）は、図９に示すように、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する方式である。この場合、映像フォーマットとして、通常の１９２０×１０８０ｐのハイフレームレート映像フォーマットを指定し、新たに定義するＨＤＲ伝送方式情報と共に伝送する。この場合、ＨＤＲ処理回路１１４にて、下位８ビットの画像データと上位ビットの画像データのスライス処理および所定のハイフレームレート映像フォーマットへのビットマッピング処理が必要となる。
【０１０４】
なお、上述では、ＨＤＲ画像データの残りの上位ビット分を第２フレーム画像データ領域へ配置して伝送する旨を説明した。すなわち、ＨＤ画像データの残りの上位ビットは、ＨＤＲ画像データが１０ビット、１２ビット、１６ビットの画像データであるとき、それぞれ、２ビット、４ビット、８ビットとなる。この残りの上位ビットの代わりに、ＨＤＲ画像データの上位８ビット分を第２フレーム画像データ領域へ配置して伝送することも考えられる。
【０１０５】
また、上述では、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する旨を説明した。しかし、ＤＲ画像データの下位８ビット分をハイフレームレートの第２フレーム画像データ領域へ配置し、ＨＤＲ画像データの残りの上位ビット分を第１フレーム画像データ領域へ配置して伝送することも考えられる。
【０１０６】
また、上述では、ＨＤＲ画像データの下位８ビット分をハイフレームレートの第１フレーム画像データ領域へ配置し、ＨＤＲ画像データの残りの上位ビット分を第２フレーム画像データ領域へ配置して伝送する旨を説明した。しかし、ＨＤＲ画像データの上位８ビット分をハイフレームレートの第１フレーム画像データ領域へ配置し、ＨＤＲ画像データの残りの下位ビット分を第２フレーム画像データ領域へ配置して伝送することも考えられる。
【０１０７】
なお、伝送方式（２）、（３）の場合、上述のテレビ受信機１２のＨＤＲ処理回路２０４は、立体映像フォーマットあるいはハイフレームレート映像フォーマットより、それぞれＨＤＲ画像データの下位８ビットと上位ビット、あるいは上位８ビットと下位ビットを分離抽出する処理を行う。
【０１０８】
［ＨＤＲ画像データのガンマ補正方式］
次に、ＨＤＲ画像データのガンマ補正方式について説明する。
【０１０９】
ガンマ補正方式（１）は、図１０に示すように、輝度１００％時の想定される表示パネル２１１の輝度レベルと、伝送されるＨＤＲ画像の最大輝度レベルと、輝度０％を表す画像データのビット値と、輝度１００％を表す画像データのビット値と、ＨＤＲ画像で表現される最大白レベルを表す画像データのビット値を指定することで、ガンマ補正カーブを近似することができ、この近似カーブに基づき画像補正を行うことで、想定されるＨＤＲ画像が表示できる。
【０１１０】
ガンマ補正方式（２）は、図１１に示すように、指定された輝度入力レベル時の想定される表示パネル２１１の出力輝度レベルと、伝送されるＨＤＲ画像の輝度ダイナミックレンジ値と、最大輝度レベルを指定することで、ガンマ補正カーブを近似することができ、この近似カーブに基づき画像補正を行うことで、想定されるＨＤＲ画像が表示できる。
【０１１１】
ガンマ補正方式（３）は、図１２に示すように、ＩＴＵ−Ｒ  ＢＴ．１８８６で定義される輝度１００％時の輝度レベルと、輝度０％時の輝度レベルと、ガンマ値を指定することで、ガンマ補正カーブを近似することができ、この近似カーブに基づき画像補正を行うことで、想定されるＨＤＲ画像が表示できる。
【０１１２】
ガンマ補正方式（４）は、図１３に示すように、ガンマ補正方式（２）で指定された輝度入力レベル時の想定される表示パネル２１１の出力輝度レベルを複数点指定することで、ガンマ補正カーブを近似することができ、この近似カーブに基づき画像補正を行うことで、想定されるＨＤＲ画像が表示できる。
【０１１３】
［ＥＤＩＤのデータ構造例］
図１４は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０１１４】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０１１５】
拡張ブロックの先頭には、 “Ｓｈｏｒｔ  Ｖｉｄｅｏ  Ｄｅｓｃｒｉｐｔｏｒ”で表される、表示可能な画像サイズ(解像度)、フレームレート、インターレースであるかプログレッシブであるかを示す情報、アスペクト比などの情報が記述されたデータ、“Ｓｈｏｒｔ  Ａｕｄｉｏ  Ｄｅｓｃｒｉｐｔｏｒ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０１１６】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカーごとに固有に定義されたデータ、“３ｒｄ  ｔｉｍｉｎｇ”で表される従来のＥＤＩＤとの互換性を保つためのタイミング情報、 “４ｔｈ  ｔｉｍｉｎｇ”で表される従来のＥＤＩＤとの互換性を保つためのタイミング情報および“Ｖｉｄｅｏ  Ｃａｐａｂｉｌｉｔｙ” （以降、ＶＣＤＢと呼ぶ）で表されるシンク機器が表示対応出来るフラグ情報が配置されている。
【０１１７】
［ＶｅｎｄｏｒＳｐｅｃｉｆｉｃＤａｔａＢｌｏｃｋ（ＶＳＤＢ）領域のデータ構造例］
この実施の形態においては、このＶＳＤＢ領域に、ＨＤＲ画像情報を記憶するために拡張するデータエリアを定義する。図１５は、ＶＳＤＢ領域のデータ構造例を示している。このＶＳＤＢ領域には、１バイトのブロックである第０ブロック乃至第Ｎブロックが設けられている。
【０１１８】
第８バイトの第４ビットおよび既に定義された第０バイトから第Ｍバイトに続く第Ｍ＋１バイトから第Ｍ＋３バイトに、シンク機器（この実施の形態では、テレビ受信機１２）が記憶しておくべきＨＤＲ画像情報のデータ領域が定義される。
【０１１９】
まず、第０バイトから第８バイトについて説明する。“Ｖｅｎｄｅｒ Ｓｐｅｃｉｆｉｃ”で表されるデータの先頭に配置された第０バイトには、“Ｖｅｎｄｏｒ−Ｓｐｅｃｉｆｉｃ ｔａｇ ｃｏｄｅ（＝３）”で表されるデータ領域を示すヘッダ、および“Ｌｅｎｇｔｈ（＝Ｎ）”で表されるＶＳＤＢデータの長さを示す情報が配置される。また、第１バイト乃至第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１２０】
さらに、第４バイトおよび第５バイトには、”Ａ“、”Ｂ“、”Ｃ“、および”Ｄ“のそれぞれにより表される、２４ｂｉｔのシンク機器の物理アドレスを示す情報が配置される。第６バイトには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ Ｖｉｓｕａｌ Ｉｎｔｅｒｆａｃｅ）に対応しているかを示すフラグが配置されている。
【０１２１】
また、第７バイトには、“Ｍａｘ−ＴＭＤＳ−Ｃｌｏｃｋ”で表されるＴＭＤＳのピクセルクロックの最大の周波数を示す情報が配置される。第８バイトには、Ｌａｔｅｎｃｙフィールドの存在を指定する情報、Ｉｎｔｅｒｌａｃｅ Ｌａｔｅｎｃｙフィールドの存在を指定する情報、３Ｄビデオフォーマットの拡張の存在を指定する情報、コンテンツタイプ（ＣＮＣ）の機能の対応を指定する情報のフラグが配置されている。この第８バイトの第４ビットに、シンク機器が対応するＨＤＲ情報が存在するかどうかのフラグが新規に配置される。このフラグがＴｒｕｅの場合には、第１５＋Ｍバイトから第１８＋ＭバイトにＨＤＲに関する情報が存在することを示す。
【０１２２】
次に、第１５＋Ｍバイトから第１８＋Ｍバイトについて説明する。第１５＋Ｍバイトの第７ビットには、ソース機器でＨＤＲ機能に関する処理を禁止するかどうかを示す。第１５＋Ｍバイトの第６ビットから第４ビットには、シンク機器が対応しているＨＤＲ画像の３通り（上述の伝送方式（１）〜（３））のビデオフォーマットを示すデータが書き込まれる。
【０１２３】
第１５＋Ｍバイトの第３ビットから第０ビットは、これ以外の方式が提案された場合に、割当が可能となっている。第１６＋Ｍバイトの第７ビットから第４ビットには、シンク機器が対応しているＨＤＲ画像のガンマ補正の４通りの方式を示すデータが書き込まれる。第１６＋Ｍバイトの第３ビットから第０ビットは、これ以外のガンマ補正方式が提案された場合に、割当が可能となっている。
【０１２４】
第１７＋Ｍバイトの第７ビットから第４ビットには、シンク機器が対応しているＨＤＲ画像のガンマ補正情報の３通りの伝送方式を示すデータが書き込まれる。第１７＋Ｍバイトの第４ビットから第０ビットは、これ以外のガンマ補正情報の伝送方式が提案された場合に、割当が可能となっている。
【０１２５】
例として、第７ビットがＴｒｕｅの場合は、ソース機器ではＨＤＲ画像の輝度伸長やビット圧縮等の処理を禁止する。第１８＋Ｍバイトには、シンク機器の表示パネル部２１１の最大輝度値をｃｄ／ｍ２の単位で指定する。第１９＋Ｍバイトには、シンク機器の映像信号処理回路２０８で処理可能な最大輝度伸長レベルを％の単位で指定する。これらは、第１５＋Ｍバイトの第７ビットの“Ｒａｗ”がＦａｌｓｅの場合にソース機器で実施するＨＤＲ画像の輝度伸長・ビット圧縮処理等に必要なシンク機器の情報として用いられる。
【０１２６】
ここでは、ＶＳＤＢ領域を用いてＨＤＲ伝送情報を記憶させる方法を提案しているが、ＶＳＤＢ領域はＨＤＭＩ独自のデータ構造を持つため、ＨＤＭＩ機器間では互換性があるが、それ以外の仕様に基づく機器との互換性が保てない。そのため、Ｅ−ＥＤＩＤのデータ構造では、例えばＶＣＤＢの様に、これ以外のデータ領域で伝送規格を超えて互換性を保つ目的で、ＨＤＲ伝送情報を記憶させる方法も実現可能である。
【０１２７】
［ＶｉｄｅｏＣａｐａｂｉｌｉｔｙＤａｔａＢｌｏｃｋ（ＶＣＤＢ）領域のデータ構造例］
この実施の形態においては、このＶＣＤＢ領域に、ＨＤＲ画像情報を記憶するために拡張するデータエリアを定義する。図１６は、ＶＣＤＢ領域のデータ構造例を示している。このＶＣＤＢ領域には、第０バイトから第Ｎバイトが設けられている。
【０１２８】
第０バイトの第７ビットから第５ビットの“Ｕｓｅｒ  Ｅｘｔｅｎｄｅｄ  Ｔａｇ”には、拡張タグであることを示す０ｘ７が配置され、続く第４ビットから第０ビットには、第０バイトを除くバイト長が配置される。また、第１バイトの“Ｅｘｔｅｎｄｅｄ  Ｔａｇ  Ｃｏｄｅ”には、ＶＣＤＢを表す “０ｘ０ “が配置される。
【０１２９】
続く第２バイトには、表示レンジＱＹ・ＱＳおよびスキャン情報Ｓ＿ＰＴ１からＳ＿ＣＥ０が配置される。続く第３バイトから第８バイトに、上記ＶＳＤＢ領域の第１５＋Ｍバイトから第２１＋Ｍバイトと同じ情報が配置される。この様にして、ＶＣＤＢ領域を用いることで、異なる伝送規格間で互換性を保つことができる。また、ＶＣＤＢ領域以外にも “Ｅｘｔｅｎｄｅｄ  Ｔａｇ  Ｃｏｄｅ”に“Ｖｉｄｅｏ  Ｒｅｌａｔｅｄ  Ｃｏｄｅ”を表す“０ｘ０６”を指定して新規のパケットを定義してＨＤＲ画像情報を記憶してもよい。
【０１３０】
図１に示すＡＶシステム１０において、ディスクプレーヤ（ソース機器）１１のＣＰＵ１０４は、ＨＰＤライン２５（図２参照）で、テレビ受信機（シンク機器）１２の接続を確認する。その後、ディスクプレーヤ１１のＣＰＵ１０４は、ＤＤＣ２３（図２参照）を用いて、テレビ受信機１２からＥ−ＥＤＩＤ、従ってＨＤＲ画像情報を読み出し、テレビ受信機１２が対応するＨＤＲ画像の伝送方式およびガンマ補正方式およびガンマ補正情報の伝送方式を認識する。
【０１３１】
図１に示すＡＶシステム１０において、ディスクプレーヤ１１は、ＨＤＲ画像データをテレビ受信機１２に伝送する際、上述したようにテレビ受信機１２から読み出したＨＤＲ画像情報に基づいて、テレビ受信機１２が対応可能なＨＤＲ画像データの伝送方式およびガンマ補正方式およびガンマ補正情報の伝送方式のうちいずれかの伝送方式およびガンマ補正方式およびガンマ補正の伝送方式を選択して、伝送する。その際、ディスクプレーヤ１１は、テレビ受信機１２に、現在伝送しているＨＤＲ画像フォーマットに関する情報を送信する。
【０１３２】
この場合、ディスクプレーヤ１１は、テレビ受信機１２に送信するＨＤＲ画像データ（映像信号）のブランキング期間にその情報を挿入することで、当該情報をテレビ受信機１２に送信する。ここで、ディスクプレーヤ１１は、例えば、ＨＤＭＩのＶｅｎｄｏｒ Ｓｐｅｃｉｆｉｃ ＩｎｆｏＦｒａｍｅ（以降、「ＶＳＩＦ」と呼ぶ）パケットまたはＡｕｘｉｌｉａｒｙ  Ｖｉｄｅｏ  ＩｎｆｏＦｒａｍｅ（以降、「ＡＶＩＦ」と呼ぶ）または新規に定義したＤｙｎａｍｉｃ  Ｒａｎｇｅ  ＩｎｆｏＦｒａｍｅ（以降、「ＤＲＩＦ」と呼ぶ）を用いて、現在伝送している画像フォーマットに関する情報をＨＤＲ画像データのブランキング期間に挿入する。ＶＳＩＦパケットおよびＡＶＩＦパケットおよびＤＲＩＦパケットは、上述したデータアイランド区間１８（図３参照）に配置される。
【０１３３】
［ＶＳＩＦパケットのデータ構造例］
図１７は、ＶＳＩＦパケットのデータ構造例を示している。ＨＤＭＩでは、このＶＳＩＦパケットにより、画像に関する付帯情報をソース機器からシンク機器に伝送可能となっている。第０バイトには、ＶＳＩＦパケットを示すＰａｃｋｅｔＴｙｐｅ（０ｘ８１）が定義されている。第１バイトには、ＶＳＩＦパケットのバージョンが定義されている。第２バイトの第４ビットから第０ビットには、ＶＳＩＦパケットのヘッダ部を除いたデータ長が定義されている。第３バイトには、データのチェックサムが定義されている。第４バイトから第５バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１３４】
第６バイトの第６ビットには、ＨＤＲ画像データの伝送情報が第８＋Ｎバイト以降に存在するかどうかを示す“ＨＤＲ”フラグが指定される。この“ＨＤＲ”フラグがＦａｌｓｅの場合は、ＨＤＲ画像データの伝送ではないことを示す。“ＨＤＲ”フラグがＴｒｕｅの場合は、第９バイトから第ＭバイトにＨＤＲ画像に関する付帯情報が指定される。
【０１３５】
第８バイトの第７ビットには、伝送するＨＤＲ画像が輝度伸長や輝度圧縮等の処理をソース機器で実施しているかどうかの情報が指定される。“Ｒａｗ”がＴｒｕｅの場合には、ソース機器で輝度伸長等の処理を実施していないことを示す。“Ｒａｗ”がＦａｌｓｅの場合には、ソース機器で輝度伸長等の処理を実施していることを示す。
【０１３６】
続く第６ビットから第４ビットには、ＨＤＲ画像の３通り（上述の伝送方式（１）〜（３））の伝送方式（映像フォーマット）のうちいずれが選択されているかの情報が指定される。この場合、第６ビットから第４ビットは、伝送方式（１）のときは０ｂ００１に、伝送方式（２）のときは０ｂ０１０に、伝送方式（３）のときは０ｂ０１１に設定される。第６ビットから第４ビットの０ｂ１００から０ｂ１１１と第３ビットから第０ビットは、これ以外の方式が提案された場合に、割当が可能となっている。
【０１３７】
第９バイトの第７ビットから第４ビットには、ＨＤＲ画像のガンマ補正方式の４通り（上述のガンマ補正方式（１）〜（４））のうちいずれかが選択されているかの情報が指定される。この場合、第７ビットから第４ビットは、ガンマ補正方式（１）のときは０ｂ０００１に、ガンマ補正方式（２）のときは０ｂ００１０に、ガンマ補正方式（３）のときは０ｂ００１１に、ガンマ補正方式（４）のときは０ｂ０１００に設定される。第７ビットから第５ビットの０ｂ０１０１から０ｂ１１１１と第４ビットから第０ビットは、これ以外の方式が提案された場合に、割当が可能となっている。第１０バイトから第Ｍバイトには、第９バイトの第７ビットから第４ビットで指定されるガンマ補正方式のデータが指定される。
【０１３８】
図１８は、ガンマ補正方式（１）（図１０参照）のガンマ補正のデータ構造を示す。第０バイトは、ガンマ補正方式（１）のデータ長９が指定される。第１バイトから第２バイトには、輝度１００％時の想定される表示パネル２１１の輝度レベル「Reference_Screen_Luminance_White」がｃｄ／ｍ２の単位で指定される。第３バイトから第４バイトには、伝送されるＨＤＲ画像の最大輝度レベル「Extended_Range_White_Level」が％の単位で指定される。
【０１３９】
第５バイトには、輝度レベル０％を表す画像データのビット値「Nominal_Black_Level_Code_Value」が指定される。通常、０〜６４の値を指定するため１バイト長となっている。第６バイトから第７バイトには、輝度レベル１００％を表す画像データのビット値「Nominal_White_Level_Code_Value」が指定される。第８バイトから第９バイトには、ＨＤＲ画像で表現される最大白レベルを表す画像データのビット値「Extended_White_Level_Code_Value」が指定される。
【０１４０】
上述の図１０には、ＡＶＩＦ、ＶＳＩＦ、ＤＲＩＦパケットで伝送されるＨＤＲ情報（１）、すなわち上述した「Extended_Range_White_Level」、「Nominal_Black_Level_Code_Value」、「Nominal_White_Level_Code_Value」、「Extended_White_Level_Code_Value」の値の一例を示している。この例は、「Extended_Range_White_Level」が“４００”で、ビット長が１０ビットの場合における例である。
【０１４１】
図１９は、ガンマ補正方式（２）のガンマ補正のデータ構造を示す。第０バイトは、ガンマ方式（２）のデータ長１３が指定される。第１バイトから第２バイトには、方式（２）の入力輝度レベル「Ｉｎｐｕｔ＿Ｋｎｅｅ＿Ｐｏｉｎｔ」が０．１％の単位で指定される。第３バイトから第４バイトには、出力輝度レベル「Ｏｕｔｐｕｔ＿Ｋｎｅｅ＿Ｐｏｉｎｔ」が０．１％の単位で指定される。
【０１４２】
第５バイトから第８バイトには、伝送されるＨＤＲ画像のダイナミックレンジ「Ｄｙｎａｍｉｃ＿Ｒａｎｇｅ」が０．１％の単位で指定される。第９バイトから第１２バイトには、最大ダイナミックレンジでの輝度レベル「Ｄｙｎａｍｉｃ＿Ｒａｎｇｅ＿Ｌｕｍｉｎａｎｃｅ」がｃｄ／ｍ２の単位で指定される。
【０１４３】
上述の図１１は、ＡＶＩＦ・ＶＳＩＦ・ＤＲＩＦパケットで伝送されるＨＤＲ情報（２）、すなわち上述した「Input_Knee_Point」、「Output_Knee_Point」、「Dynamic_Range」、「Dynamic_Range_Luminance」の値の一例を示している。
【０１４４】
図２０は、ガンマ方式（３）のガンマ補正のデータ構造を示す。第０バイトは、ガンマ補正方式（３）のデータ長４が指定される。第１バイトから第２バイトには、輝度１００％時の輝度レベル「Screen_Luminance_White_Level」がｃｄ／ｍ２の単位で指定される。第３バイトには、輝度レベル０％の輝度レベル「Screen_Luminance_Black_Level」がｃｄ／ｍ２の単位で指定される。通常、０〜６４の値を指定するため１バイト長となっている。第４バイトには、ガンマ値「Gamat_Value」が指定される。
【０１４５】
上述の図１２には、ＡＶＩＦ・ＶＳＩＦ・ＤＲＩＦパケットで伝送されるＨＤＲ情報（３）、すなわち上述した「Screen_Luminance_White_Level」、「Screen_Luminance_Black_Level」、「Gamat_Value」を用いた計算式の一例を示している。
【０１４６】
図２１は、ガンマ補正方式（４）のガンマ補正のデータ構造を示す。第０バイトは、ガンマ方式（４）のデータ長（可変長）が指定される。第１バイトから第４バイトには、入力画像ダイナミックレンジ情報（input_d_range）が指定される。第５バイトから第８バイトには、入力画像表示ディスプレイ最大輝度情報（input_disp_luminance）が指定される。第９バイトから第１２バイトには、出力画像ダイナミックレンジ情報（output_d_range）が指定される。第１３バイトから第１６バイトには出力表示ディスプレイ最大輝度情報（output_disp_luminace）が指定される。
【０１４７】
第１７バイトには、ガンマ補正方式（４）で伝送されるニー位置情報の個数が指定される。第１８バイト以降には、３バイト毎に、変換前位置情報（input_knee_point）および変換後位置情報（output_knee_point）が設定される。ニー位置とは、符号化対象の画像の輝度のダイナミックレンジの同一の変換率でニー変換される輝度の範囲の始点の０以外の輝度であり、変換前位置情報は、ダイナミックレンジ変換における変換前の符号化対象の画像のニー位置を表す情報であり、符号化対象の画像の輝度の最大値を１０００パーミルとしたときのニー位置の千分率であり、変換後位置情報は、ダイナミックレンジ変換における変換後の画像の、ニー位置を始点とするニー変換される輝度の範囲に対応する輝度の範囲の始点を表す情報である。具体的には、変換後位置情報（output_knee_point）は、変換後の画像の輝度の最大値を１０００パーミルとしたときのニーポイントに対応する変換後の画像の輝度の千分率である。
【０１４８】
上述の図１３には、ＡＶＩＦ・ＶＳＩＦ・ＤＲＩＦパケットで伝送されるＨＤＲ情報（４）、すなわち上述した「input_knee_point(i)」、「output_knee_point(i)」の値の一例を示している。この例は、ニー位置が３点存在し、「input_knee_point(i)」、「output_knee_point(i)」の値がそれぞれ“１００、６００”、“２５０、８００”、“４５０、９００” の一例を示している。
【０１４９】
シンク機器（この実施の形態では、テレビ受信機１２）は、第８バイトの第６ビットから第４ビットのいずれかのビットがＴｒｕｅに設定されている場合に、ＨＤＲ画像データが伝送されていると判定できる。さらに、シンク機器は、第６ビットから第４ビットの値により、伝送方式（映像フォーマット）を判定できる。
【０１５０】
すなわち、第６ビットから第４ビットが０ｂ００１に設定されている場合、１９２０×１０８０ｐのディープカラー（Deep Color）という映像フォーマットが用いられてＨＤＲ画像データの伝送が行われていることがわかる（図７参照）。また、第６ビットから第４ビットが０ｂ０１０に設定されている場合、１９２０×１０８０ｐのフレームパッキングという立体映像フォーマットが用いられてＨＤＲ画像データの伝送が行われていることがわかる（図８参照）。また、第６ビットから第４ビットが０ｂ０１１に設定されている場合、１９２０×１０８０ｐのハイフレームレート映像フォーマットが用いられてＨＤＲ画像データの伝送が行われていることがわかる（図９参照）。
【０１５１】
また、第９バイトの第７ビットから第４ビットの値により、ＨＤＲ画像のガンマ補正の方式を判定できる。すなわち、第７ビットから第４ビットが０ｂ０００１に設定されている場合、ガンマ補正の方式（１）が用いられてＨＤＲ画像データの伝送が行われていることがわかる（図１０参照）。また、第７ビットから第４ビットが０ｂ００１０に設定されている場合、ガンマ補正の方式（２）が用いられてＨＤＲ画像データの伝送が行われていることがわかる（図１１参照）。また、第７ビットから第４ビットが０ｂ００１１に設定されている場合、ガンマ補正の方式（３）が用いられてＨＤＲ画像データの伝送が行われていることがわかる（図１２参照）。また、第７ビットから第４ビットが０ｂ０１００に設定されている場合、ガンマ補正の方式（４）が用いられてＨＤＲ画像データの伝送が行われていることがわかる（図１３参照）。
【０１５２】
［ＡＶＩＦパケットのデータ構造例］
図２２は、ＡＶＩＦパケットのデータ構造例を示している。ＨＤＭＩでは、このＡＶＩＦパケットにより、画像に関する付帯情報をソース機器からシンク機器に伝送可能となっている。第０バイトには、ＡＶＩＦパケットを示すＰａｃｋｅｔＴｙｐｅ（０ｘ８２）が定義されている。第１バイトには、ＡＶＩＦパケットのバージョンが定義されている。第２バイトの第４ビットから第０ビットには、ＡＶＩＦパケットのヘッダ部を除いたデータ長（０ｘ０Ｄ）が定義されている。第３バイトには、データのチェックサムが定義されている。第４バイトから第１６バイトには、ＣＥＡ−８６１−Ｄで定義されるデータが配置される。
【０１５３】
第１７バイトの第６ビットには、第１８バイト以降に存在するかどうかを示す“ＨＤＲ”フラグが指定される。この“ＨＤＲ”フラグがＦａｌｓｅの場合は、ＨＤＲ画像データの伝送ではないことを示す。“ＨＤＲ”フラグがＴｒｕｅの場合は、第１７バイトから第２７バイトにＨＤＲ画像に関する付帯情報が指定される。第５ビットには、ＨＤＲ画像に関する付帯情報がＶＳＩＦパケットでも同時に伝送されているかどうかを示す“ＶＳＩＦ＿ＥＸＴ” フラグが指定される。
【０１５４】
この“ＶＳＩＦ＿ＥＸＴ”フラグがＦａｌｓｅの場合は、ＨＤＲ画像に関する付帯情報のＶＳＩＦパケットでの伝送は存在しないことを示す。“ＶＳＩＦ＿ＥＸＴ”フラグがＴｒｕｅの場合は、ＨＤＲ画像に関する付帯情報のＶＳＩＦパケットでの伝送があることを示す。例えば、ガンマ補正の方式（４）の情報をＡＶＩＦパケットとＶＳＩＦパケットで伝送する際、複数のＡＶＩＦパケットを用いて、図２１の第０バイトから第２０バイトまでを伝送し、図２１の第２１バイト以降を図１７のＶＳＩＦパケット構造で伝送する方法が考えられる。必要最低限のニー位置情報をＡＶＩＦパケットで伝送することで、ＨＤＭＩ以外の伝送規格においても互換性を保てる。
【０１５５】
第１８バイトの第７ビットには、伝送するＨＤＲ画像が輝度伸長や輝度圧縮等の処理をソース機器で実施しているかどうかの情報が指定される。“Ｒａｗ”がＴｒｕｅの場合には、ソース機器で輝度伸長等の処理を実施していないことを示す。“Ｒａｗ”がＦａｌｓｅの場合には、ソース機器で輝度伸長等の処理を実施していることを示す。
【０１５６】
続く第６ビットから第４ビットには、ＨＤＲ画像の３通り（上述の伝送方式（１）〜（３））の伝送方式（映像フォーマット）のうちいずれが選択されているかの情報が指定される。この場合、第６ビットから第４ビットは、伝送方式（１）のときは０ｂ００１に、伝送方式（２）のときは０ｂ０１０に、伝送方式（３）のときは０ｂ０１１に設定される。第６ビットから第４ビットの０ｂ１００から０ｂ１１１と第３ビットから第０ビットは、これ以外の方式が提案された場合に、割当が可能となっている。
【０１５７】
第１９バイトの第７ビットから第４ビットには、ＨＤＲ画像のガンマ補正方式の４通り（上述のガンマ補正方式（１）〜（４））のうちいずれかが選択されているかの情報が指定される。この場合、第７ビットから第４ビットは、ガンマ補正方式（１）のときは０ｂ０００１に、ガンマ補正方式（２）のときは０ｂ００１０に、ガンマ補正方式（３）のときは０ｂ００１１に設定される。ガンマ補正方式（４）のときは０ｂ０１００に設定される。第７ビットから第４ビットの０ｂ０１０１から０ｂ１１１１と第４ビットから第０ビットは、これ以外の方式が提案された場合に、割当が可能となっている。
【０１５８】
第２０バイトから第２７バイトには、第１９バイトの第７ビットから第４ビットに指定されるガンマ補正方式のデータが指定される。ガンマ補正方式（１）からガンマ補正方式（４）のデータは、それぞれ図１８から図２１に記述されたデータ形式を用いる。
【０１５９】
ガンマ補正方式のデータの中には、ＡＶＩＦパケット長の２７バイトを超えるデータを扱う場合があり、そのときの最初のデータを伝送する際、第１バイトのバージョンを０ｘ０２に指定し、連続するＡＶＩＦパケットが存在することを示す。また、最後のデータを伝送する際、第１バイトのバージョンを０ｘ０１に指定し、連続するＡＶＩＦパケットの終了を宣言することで、２７バイトを超えるガンマ補正方式のデータを伝送することが可能となる。
【０１６０】
［ＤＲＩＦパケットのデータ構造例］
図２３は、新規に定義されるＤＲＩＦパケットのデータ構造例を示している。ＨＤＭＩでは、このＤＲＩＦパケットにより、画像に関する付帯情報をソース機器からシンク機器に伝送可能となっている。第０バイトには、ＤＲＩＦパケットを示すＰａｃｋｅｔＴｙｐｅ（０ｘ８６）が定義されている。第１バイトには、ＤＲＩＦパケットのバージョンが定義されている。第２バイトの第４ビットから第０ビットには、ＤＲＩＦパケットのヘッダ部を除いたデータ長が定義されている。第３バイトには、データのチェックサムが定義されている。
【０１６１】
第４バイトの第６ビットには、第５バイト以降に存在するかどうかを示す“ＨＤＲ”フラグが指定される。この“ＨＤＲ”フラグがＦａｌｓｅの場合は、ＨＤＲ画像データの伝送ではないことを示す。“ＨＤＲ”フラグがＴｒｕｅの場合は、第５バイトから第ＭバイトにＨＤＲ画像に関する付帯情報が指定される。
【０１６２】
第５バイトの第７ビットには、伝送するＨＤＲ画像が輝度伸長や輝度圧縮等の処理をソース機器で実施しているかどうかの情報が指定される。“Ｒａｗ”がＴｒｕｅの場合には、ソース機器で輝度伸長等の処理を実施していないことを示す。“Ｒａｗ”がＦａｌｓｅの場合には、ソース機器で輝度伸長等の処理を実施していることを示す。
【０１６３】
続く第６ビットから第４ビットには、ＨＤＲ画像の３通り（上述の伝送方式（１）〜（３））の伝送方式（映像フォーマット）のうちいずれが選択されているかの情報が指定される。この場合、第６ビットから第４ビットは、伝送方式（１）のときは０ｂ００１に、伝送方式（２）のときは０ｂ０１０に、伝送方式（３）のときは０ｂ０１１に設定される。第６ビットから第４ビットの０ｂ１００から０ｂ１１１と第３ビットから第０ビットは、これ以外の方式が提案された場合に、割当が可能となっている。
【０１６４】
第６バイトの第７ビットから第４ビットには、ＨＤＲ画像のガンマ補正方式の４通り（上述のガンマ補正方式（１）〜（４））のうちいずれかが選択されているかの情報が指定される。この場合、第７ビットから第４ビットは、ガンマ補正方式（１）のときは０ｂ０００１に、ガンマ補正方式（２）のときは０ｂ００１０に、ガンマ補正方式（３）のときは０ｂ００１１に設定される。ガンマ補正方式（４）のときは０ｂ０１００に設定される。第７ビットから第４ビットの０ｂ０１０１から０ｂ１１１１と第４ビットから第０ビットは、これ以外の方式が提案された場合に、割当が可能となっている。
【０１６５】
第７バイトから第Ｍバイトには、第６バイトの第７ビットから第４ビットに指定されるガンマ補正方式のデータが指定される。ガンマ補正方式（１）からガンマ補正方式（４）のデータは、それぞれ図１８から図２１に記述されたデータ形式を用いる。
【０１６６】
なお、ここでは、ＶＳＩＦパケット・ＡＶＩＦパケット・ＤＲＩＦパケットを用いてＨＤＲ伝送情報を伝送する方法を提案しているが、これ以外のデータパケットでも実現可能なため、この方法に限定はされない。また、ＶＳＩＦパケット・ＡＶＩＦパケット・ＤＲＩＦパケットのデータ構造は一例を示しており、これ以外の情報を付加して伝送することも可能なため、このデータ構造に限定はされない。
【０１６７】
ＶＳＩＦパケット・ＡＶＩＦパケット・ＤＲＩＦパケットを用いてＨＤＲ伝送情報を伝送するデータ構造において、整数値を用いて指定する例を示したが、１つのガンマ補正方式のデータが２バイトを超えるデータがある。図２４（ａ）は、図１９に示すガンマ補正方式（２）の“Ｄｙｎａｍｉｃ＿Ｒａｎｇｅ”のデータ構造を表している。伝送されるＨＤＲ画像のダイナミックレンジ「Ｄｙｎａｍｉｃ＿Ｒａｎｇｅ」は０．１％の単位で指定されるため、整数による指定では４バイトを確保する必要がある。ところが、対数による指定では、図２４（ｂ）の様に、ダイナミックレンジが１０００％を超えても、整数３ビットと端数１０ビットの合計１３ビットで現わすことができるため、必要となるバイト数は２バイトとなり、データ長を短くすることも可能である。
【０１６８】
［ソース機器でのＨＤＲ伝送方式の選択処理例］
次に、図１に示すＡＶシステム１０において、ディスクプレーヤ（ソース機器）１１におけるＨＤＲ画像データの伝送方式の決定処理の一例について、図２５のフローチャートを参照して説明する。
【０１６９】
ディスクプレーヤ１１は、ステップＳＴ１において、処理を開始し、その後に、ステップＳＴ２の処理に移る。このステップＳＴ２において、ディスクプレーヤ１１は、テレビ受信機（シンク機器）１２のＶＳＤＢ領域の第８バイトの第４ビットがハイレベル「Ｈ」にあるか否かを判定する。第８バイトの第４ビットがハイレベル「Ｈ」にないとき、ディスクプレーヤ１１は、ステップＳＴ３において、ＶＳＩＦパケットまたはＡＶＩＦパケットまたはＤＲＩＦパケットにＨＤＲ画像の非伝送を示すデータを設定し、その後に、ステップＳＴ１０に進み、処理を終了する。ここで、ＨＤＲ画像の非伝送を示すデータの設定とは、ＶＳＩＦパケット（図１７参照）の第７バイトの第６ビットを「Ｌ」に、ＡＶＩＦパケット（図２２参照）の第１７バイトの第６ビットを「Ｌ」に、ＤＲＩＦパケット（図２３参照）の第４バイトの第６ビットを「Ｌ」に、設定することを意味する。
【０１７０】
ステップＳＴ２で第８バイトの第４ビットがハイレベル「Ｈ」にあるとき、ディスクプレーヤ１１は、ステップＳＴ４の処理に移る。このステップＳＴ４において、ディスクプレーヤ１１は、テレビ受信機１２のＶＳＤＢ領域の第１５＋Ｍバイトの第７ビットがハイレベル「Ｈ」にあるか否かを判定する。第１５＋Ｍバイトの第７ビットがハイレベル「Ｈ」にないとき、ディスクプレーヤ１１は、ＨＤＲ画像処理を実施せず、次のステップＳＴ３に進み、ＨＤＲ画像の非伝送を示すデータを設定し、その後に、ステップＳＴ１０に進み、処理を終了する。
【０１７１】
ステップＳＴ４で第１５＋Ｍバイトの第７ビットがハイレベル「Ｌ」のとき、ディスクプレーヤ１１は、次のステップＳＴ５に進む。ステップＳＴ５で、ディスクプレーヤ１１は、テレビ受信機１２のＶＳＤＢ領域の第１５＋Ｍバイトから第１９＋Ｍバイトを読み出し、次のステップＳＴ６に進む。ステップＳＴ６で、ディスクプレーヤ１１は、ステップＳＴ５で読み出したＨＤＲ画像の伝送方式情報に基づき、ＨＤＲ画像の伝送方式を決定し、次のステップＳＴ７に進む。
【０１７２】
ステップＳＴ７で、ディスクプレーヤ１１は、ステップＳＴ５で読み出したテレビ受信機（シンク機器）１２のＶＳＤＢ領域の第１６＋Ｍバイトの第７ビットから第５ビットのＨＤＲ画像のガンマ補正方式および第１７＋Ｍバイトの第７ビットから第５ビットのガンマ補正情報の伝送方式に基づき、ガンマ補正方式およびガンマ補正情報の伝送方式を決定し、次のステップＳＴ８に進む。
【０１７３】
ステップＳＴ８で、ディスクプレーヤ１１は、ステップＳＴ６で決定したＨＤＲ画像の伝送方式およびステップＳＴ７で決定したガンマ補正方式およびガンマ補正情報の伝送方式に対応するデータを、該当するパケットに設定し、次のステップＳＴ９に進む。
【０１７４】
ステップＳＴ９で、ディスクプレーヤ１１は、ステップＳＴ５で読み出した第１８＋Ｍバイトの表示パネル２１１の最大輝度（ｃｄ／ｍ２）と第１９＋Ｍバイトの最大輝度拡張レベル（％）のデータに基づき、伝送するＨＤＲ画像の輝度圧縮処理を実施し、伝送を開始し、その後に、ステップＳＴ１０に進み、処理を終了する。
【０１７５】
［ソース機器でのＨＤＲメタデータ伝送方式の選択処理例］
次に、図１に示すＡＶシステム１０において、ディスクプレーヤ（ソース機器）１１におけるＨＤＲ画像データのＨＤＲメタデータの伝送方式の決定処理の一例について、図２６のフローチャートを参照して説明する。この処理は、図２５のステップＳＴ７におけるガンマ補正情報の伝送方式を決定する処理の詳細を示す。
【０１７６】
ディスクプレーヤ１１は、ステップＳＴ２１において、処理を開始し、その後に、ステップＳＴ２２の処理に移る。このステップＳＴ２２において、ディスクプレーヤ１１は、テレビ受信機（シンク機器）１２のＶＳＤＢ領域の第１７＋Ｍバイトの第５ビットがハイレベル「Ｈ」にあるか否かを判定する。
【０１７７】
第１７＋Ｍバイトの第５ビットがハイレベル「Ｈ」のとき、ディスクプレーヤ１１は、ステップＳＴ２３において、ＤＲＩＦパケットにＨＤＲ画像のガンマ補正情報を設定し、その後に、ステップＳＴ２９に進み、処理を終了する。ここで、ＨＤＲ画像のガンマ補正情報の設定とは、ＤＲＩＦパケット（図２３参照）に所定のデータを設定することを意味する。
【０１７８】
ステップＳＴ２２で第１７＋Ｍバイトの第５ビットがハイレベル「Ｈ」でないとき、ディスクプレーヤ１１は、ステップＳＴ２４の処理に移る。このステップＳＴ２４において、ディスクプレーヤ１１は、テレビ受信機１２のＶＳＤＢ領域の第１７＋Ｍバイトの第７ビットがハイレベル「Ｈ」にあるか否かを判定する。第１７＋Ｍバイトの第７ビットがハイレベル「Ｈ」にないとき、ディスクプレーヤ１１は、次のステップＳＴ２５に進み、ステップＳＴ２５において、ＡＶＩＦパケットにＨＤＲ画像のガンマ補正情報を設定し、その後に、ステップＳＴ２９に進み、処理を終了する。ここで、ＨＤＲ画像のガンマ補正情報の設定とは、ＡＶＩＦパケット（図２２参照）に所定のデータを設定することを意味する。
【０１７９】
ステップＳＴ２４で第１７＋Ｍバイトの第７ビットがハイレベル「Ｈ」のとき、ディスクプレーヤ１１は、次のステップＳＴ２６に進む。ステップＳＴ２６で、ディスクプレーヤ１１は、テレビ受信機１２のＶＳＤＢ領域の第１７＋Ｍバイトの第６ビットがハイレベル「Ｈ」にあるか否かを判定する。第１７＋Ｍバイトの第６ビットがハイレベル「Ｈ」にないとき、ディスクプレーヤ１１は、次のステップＳＴ２７に進み、ステップＳＴ２７において、ＶＳＩＦパケットにＨＤＲ画像のガンマ補正情報を設定し、その後に、ステップＳＴ２９に進み、処理を終了する。ここで、ＨＤＲ画像のガンマ補正情報の設定とは、ＶＳＩＦパケット（図１７参照）に所定のデータを設定することを意味する。
【０１８０】
ステップＳＴ２６で第１７＋Ｍバイトの第６ビットがハイレベル「Ｈ」のとき、ディスクプレーヤ１１は、ステップＳＴ２８の処理に移る。このステップＳＴ２８において、ディスクプレーヤ１１は、ＡＶＩＦパケットおよびＶＳＩＦパケットにＨＤＲ画像のガンマ補正情報を設定し、その後に、ステップＳＴ２９に進み、処理を終了する。ここで、ＨＤＲ画像のガンマ補正情報の設定とは、ＡＶＩＦパケット（図２２参照）およびＶＳＩＦパケット（図１７参照）に所定のデータを設定することを意味する。
【０１８１】
以上説明したように、図１に示すＡＶシステム１０においては、ディスクプレーヤ１１からテレビ受信機１２に、ＨＤＲ画像データがＨＤＭＩケーブル１３を介して送信されると共に、このＨＤＲ画像データの伝送方式情報およびガンマ補正情報が同じＨＤＭＩケーブル１３を介して送信されるものであり、ＨＤＲ画像データの伝送を良好に行うことができる。例えば、テレビ受信機１２は、受信される伝送方式情報およびガンマ補正情報に基づいて、受信されるＨＤＲ画像データを適切に処理できる。
【０１８２】
また、図１に示すＡＶシステム１０においては、ディスクプレーヤ１１では、ＨＤＲ画像データの伝送方式およびガンマ補正方式として、テレビ受信機１２が対応可能な方式が選択されるものである。そのため、テレビ受信機１２では、受信されるＨＤＲ画像データのデコード処理、ガンマ補正処理を確実に行うことができる。つまり、ディスクプレーヤ１１とテレビ受信機１２との間におけるＨＤＲ画像データの伝送を良好に行うことができる。
【０１８３】
＜２．変形例＞
なお、上述実施の形態においては、ディスクプレーヤ１１は、ＨＤＲ画像データの伝送方式情報およびガンマ補正情報を、ＶＳＩＦパケット、ＡＶＩＦパケット、ＤＲＩＦパケットなどを用いて、画像データ（映像信号）のブランキング期間に挿入することで、テレビ受信機１２に送信している。
【０１８４】
例えば、ディスクプレーヤ１１は、ＨＤＲ画像データの伝送方式情報およびガンマ補正情報を、ＨＤＭＩケーブル１３の制御データラインであるＣＥＣライン２４を介して、テレビ受信機１２に送信するようにしてもよい。また、例えば、ディスクプレーヤ１１は、ＨＤＲ画像データの伝送方式情報およびガンマ補正情報を、ＨＤＭＩケーブル１３のリザーブライン２７およびＨＰＤライン２５で構成される双方向通信路を介して、テレビ受信機１２に送信するようにしてもよい。
【０１８５】
また、上述実施の形態においては、テレビ受信機１２のＥ−ＥＤＩＤには、当該テレビ受信機１２が対応するＨＤＲ画像データの伝送方式情報およびガンマ補正方式情報およびガンマ補正情報の伝送方式情報が含まれており、ディスクプレーヤ１１は、ＨＤＭＩケーブル１３のＤＤＣ２３を介してＥ−ＥＤＩＤを読み出すことで、テレビ受信機１２が対応するＨＤＲ画像データの伝送方式情報およびガンマ補正方式情報およびガンマ補正情報の伝送方式情報を取得するようにしている。
【０１８６】
しかし、ディスクプレーヤ１１は、テレビ受信機１２が対応するＨＤＲ画像データの伝送方式情報およびガンマ補正方式情報およびガンマ補正情報の伝送方式情報を、テレビ受信機１２から、ＨＤＭＩケーブル１３の制御データラインであるＣＥＣライン２４を介して、あるいはＨＤＭＩケーブル１３のリザーブライン２７およびＨＰＤライン２５で構成される双方向通信路を介して受信するようにしてもよい。
【０１８７】
また、上述実施の形態においては、ディスクプレーヤ１１は、ＨＤＲ画像データの伝送方式情報およびガンマ補正情報およびガンマ補正情報の伝送方式情報をテレビ受信機１２に送信する例を示している。しかし、いずれか一方を送信する構成も考えられる。
【０１８８】
また、上述実施の形態においては、ＨＤＭＩの伝送路を用いるものを示している。しかし、ベースバンドデジタルインタフェースとしては、ＨＤＭＩの他に、ＭＨＬ（Mobile High-definition Link）、ＤＶＩ（Digital Visual Interface）インタフェース、ＤＰ（Display Port）インタフェース、光インタフェース、６０ＧＨｚミリ波を利用したワイヤレスインタフェース等がある。本技術は、これらのデジタルインタフェースで、ＨＤＲ画像データを伝送する場合にも同様に適用できる。
【０１８９】
［ＤＰシステムの構造例］
図２７は、ＤＰインタフェースを用いたＤＰシステム３００の構成例を示している。このＤＰシステム３００は、ＤＰ送信機器３０１とＤＰ受信機器３０７とが、ＤＰケーブル３０３により接続されている。そして、ＤＰ送信機器３０１はＤＰ送信部３０２を備え、ＤＰ受信機器３０７はＤＰ受信部３０８と記憶部３０９を備えている。
【０１９０】
ＤＰケーブル３０３は、メインリンク３０４とＡＵＸチャネル３０５とホットプラグ検知３０６で構成されている。メインリンク３０４は、１つ、２つ、または４つの二重終端差動信号ペア（ペアレーン）から構成され、専用のクロック信号は持たず、代わりに８Ｂ／１０Ｂ符号化データストリームにクロックが埋め込まれている。
【０１９１】
ＤＰインタフェースでは、ＨＤＭＩと異なり、伝送速度とピクセル周波数は独立していて、ピクセルの深さや解像度、フレーム周波数、および転送ストリーム内の音声データやＤＲＭ情報などの付加データの有無ならびにその量を、自由に調整できる。メインリンク３０４を用いて、ＨＤＲ画像データおよびＨＤＲ画像データの伝送方式情報およびガンマ補正情報の伝送が行われる。
【０１９２】
ＤＰインタフェースの伝送データ構造は、ＨＤＭＩにおける、ＴＭＤＳ伝送データ構造（図３参照）を用い、ＨＤＲ画像データは、ＨＤＭＩにおける図７から図９の画像データ構造を用いる。また、ＨＤＲ画像データの伝送方式情報およびガンマ補正情報は、ＨＤＭＩにおけるデータアイランド区間１８（図３参照）に挿入して伝送されるＶＳＩＦパケット（図１７参照）、ＡＶＩＦパケット（図２２参照）、ＤＲＩＦパケット（図２３参照）のデータ構造と同じパケットを用いる。
【０１９３】
ＤＰ送信機器３０１は、ホットプラグ検知３０６で、ＤＰ受信機器３０７の接続を確認する。その後、ＤＰ送信機器３０１は、ＡＵＸチャネル３０５を用いて、ＤＰ受信機器３０７の記憶部３０９からＥ−ＥＤＩＤのＨＤＲ画像情報を読み出し、ＤＰ受信機器３０７が対応するＨＤＲ画像の伝送方式を認識する。ＤＰ受信機器３０７のＥ−ＥＤＩＤのＨＤＲ画像情報のデータ構造は、図１４および図１５と同じでもよい。
【０１９４】
また、ＤＰインタフェースでは、メインリンク３０４とは別に、帯域幅１Ｍビット/秒または帯域幅７２０Ｍビット/秒の半二重双方向のＡＵＸチャネル３０５があり、この双方向通信によって送信機器と受信機器との間の機能に関する情報交換を行う。このＡＵＸチャネル３０５を用いて、ＨＤＲ画像データの伝送方式情報およびガンマ補正方式情報およびガンマ補正情報の伝送方式情報の伝送を行うこともできる。
【０１９５】
［ＭＨＬシステムの構造例］
図２８は、ＭＨＬインタフェースを用いたＭＨＬシステム４００の構成例を示している。このＭＨＬシステムは、ＭＨＬ送信機器４０１とＭＨＬ受信機器４０８が、ＭＨＬケーブル４０４により接続されている。そして、ＭＨＬ送信機器４０１は、ＴＭＤＳ送信部４０２と、記憶部４０３を備え、ＭＨＬ受信機器４０８はＴＭＤＳ受信部４０９と、記憶部４１０と、ＥＤＩＤ―ＲＯＭ４１１を備えている。
【０１９６】
ＭＨＬケーブル４０４は、ＴＭＤＳチャネル４０５と、ＣＢＵＳ（MHL Link Control Bus）/ｅＣＢＵＳ（enhanced MHL Link Control Bus）ライン４０６と、電源供給用ＶＢＵＳ（MHL Voltage Bus）ライン４０７で構成されている。ＴＭＤＳチャネル４０５は、１対の差動信号ペアから構成され、ＨＤＲ画像データおよびＨＤＲ画像データの伝送方式情報およびガンマ補正情報およびそれらの伝送方式情報の伝送が行われる。
【０１９７】
ＭＨＬインタフェースの伝送データ構造は、ＨＤＭＩにおける、ＴＭＤＳ伝送データ構造（図３参照）を用い、ＨＤＲ画像データは、ＨＤＭＩにおける図７から図９の画像データ構造を用いる。また、ＨＤＲ画像データの伝送方式情報およびガンマ補正情報は、ＨＤＭＩにおける、データアイランド区間１８（図３参照）に挿入して伝送されるＶＳＩＦパケット（図１７参照）、ＡＶＩＦパケット（図２２参照）、ＤＲＩＦパケット（図２３参照）のデータ構造と同じパケットを用いる。
【０１９８】
ＣＢＵＳ/ｅＣＢＵＳライン４０６において、パケットデータのデータ部を０ｘ６４に設定したとき、ＨＰＤがハイレベル「１」を表し、パケットデータのデータ部を０ｘ６５に設定したとき、ＨＰＤがローレベル「０」を表す。この様にして、ＭＨＬ送信機器４０１は、ＣＢＵＳ/ｅＣＢＵＳライン４０６で、ＭＨＬ受信機器４０８の接続を確認する。
【０１９９】
その後、ＭＨＬ送信機器４０１は、ＣＢＵＳ/ｅＣＢＵＳライン４０６を用いて、ＭＨＬ受信機器４０８からＥ−ＥＤＩＤのＨＤＲ画像情報を読み出し、ＭＨＬ受信機器４０８が対応するＨＤＲ画像の伝送方式を認識する。ＭＨＬ受信機器４０８のＥ−ＥＤＩＤのＨＤＲ画像情報のデータ構造は、図１４および図１５と同じでもよい。
【０２００】
また、上述実施の形態においては、送信装置（ソース機器）としてディスクプレーヤ１１を使用し、受信装置（シンク機器）としてテレビ受信機１２を使用した例としたが、その他の送信装置、受信装置を使用するものにも、本技術を同様に適用できることは勿論である。
【０２０１】
また、本技術は、以下のような構成を取ることもできる。
（１）ハイダイナミックレンジ画像データを、外部機器に送信するデータ送信部と、
上記データ送信部で送信される上記ハイダイナミックレンジ画像データの伝送方式情報および/またはガンマ補正情報を、上記外部機器に送信する情報送信部とを備える
送信装置。
（２）上記データ送信部は、上記外部機器に、上記ハイダイナミックレンジ画像データを、差動信号により送信する
前記（１）に記載の送信装置。
（３）上記情報送信部は、上記データ送信部で送信される上記ハイダイナミックレンジ画像データの伝送方式情報および/またはガンマ補正情報を、該ハイダイナミックレンジ画像データのブランキング期間に挿入することで、上記外部機器に送信する
前記（２）に記載の送信装置。
（４）上記データ送信部で送信される上記ハイダイナミックレンジ画像データの伝送方式情報およびガンマ補正情報は、ハイダイナミックレンジ画像データの１００％を超える最大白レベル情報、黒レベル表現時のビット値、１００％白レベル表現時のビット値、ハイダイナミックレンジ処理の実施有無を示すフラグ、１００％白レベル時に想定される受信装置輝度レベル、ハイダイナミックレンジ画像の輝度伸長のために必要な輝度入力レベル、ハイダイナミックレンジ画像の輝度伸長のために必要な伸長輝度出力レベルの少なくとも１つを含む
前記（１）から（３）のいずれかに記載の送信装置。
（５）上記外部機器から送られてくる、該外部機器が対応可能なハイダイナミックレンジ画像データの伝送方式情報および/またはガンマ補正方式情報を受信する情報受信部と、
上記情報受信部で受信された伝送方式情報および/またはガンマ補正方式情報に基づいて、上記外部機器が対応可能なハイダイナミックレンジ画像データの伝送方式および/またはガンマ補正方式から所定の伝送方式および/またはガンマ補正方式を選択する方式選択部とをさらに備え、
上記データ送信部は、上記方式選択部で選択された伝送方式および/またはガンマ補正方式のハイダイナミックレンジ画像データを、上記外部機器に送信する
前記（１）から（４）のいずれかに記載の送信装置。
（６）上記情報受信部は、上記外部機器から送られてくる、上記ハイダイナミックレンジ画像データの伝送方式情報および/またはガンマ補正情報の伝送方式情報をさらに受信し、
上記情報送信部は、上記情報受信部で受信された伝送方式情報が示す伝送方式で、上記ハイダイナミックレンジ画像データの伝送方式情報および/またはガンマ補正情報を、上記外部機器に送信する
前記（５）に記載の送信装置。
（７）上記ハイダイナミックレンジ画像データは、第１のデータおよび第２のデータを含み、
上記データ送信部は、上記第１のデータおよび上記第２のデータを立体画像用に規定された映像フォーマットで構成し、上記外部機器に送信する
前記（１）から（６）のいずれかに記載の送信装置。
（８）上記ハイダイナミックレンジ画像データは、第１のデータおよび第２のデータを含み、
上記データ送信部は、上記第１のデータを第１のフレーム画像として上記外部機器に送信し、上記第２のデータを第２のフレーム画像として上記外部機器に送信する
前記（１）から（６）のいずれかに記載の送信装置。
（９）上記ハイダイナミックレンジ画像データは、第１のデータおよび第２のデータを含み、
上記第１のデータはハイダイナミックレンジ画像データの下位８ビットデータであると共に、上記第２のデータはハイダイナミックレンジ画像データの上位ビットデータであるか、あるいは、上記第１のデータはハイダイナミックレンジ画像データの上位８ビットデータであると共に、上記第２のデータはハイダイナミックレンジ画像データの下位ビットデータである
前記（１）から（６）のいずれかに記載の送信装置。
（１０）ハイダイナミックレンジ画像データを、外部機器に送信するデータ送信ステップと、
上記データ送信ステップで送信される上記ハイダイナミックレンジ画像データの伝送方式情報および/またはガンマ補正情報を、上記外部機器に送信する情報送信ステップとを有する
ハイダイナミックレンジ画像データ送信方法。
（１１）コンピュータを、
ハイダイナミックレンジ画像データを、外部機器に送信するデータ送信手段と、
上記データ送信手段で送信される上記ハイダイナミックレンジ画像データの伝送方式情報および/またはガンマ補正情報を、上記外部機器に送信する情報送信手段と
して機能させるプログラム。
（１２）外部機器から、ハイダイナミックレンジ画像を表示するためのハイダイナミックレンジ画像データを受信するデータ受信部と、
上記外部機器から、上記データ受信部で受信されるハイダイナミックレンジ画像データの伝送方式情報および/またはガンマ補正情報を受信する情報受信部と、
上記情報受信部で受信された伝送方式情報および/またはガンマ補正情報に基づいて、上記データ受信部で受信されたハイダイナミックレンジ画像データを処理するデータ処理部とを備える
受信装置。
（１３）上記データ受信部は、上記外部機器から、差動信号により、上記ハイダイナミックレンジ画像データを受信する
前記（１２）に記載の受信装置。
（１４）上記情報受信部は、上記データ受信部で受信された上記ハイダイナミックレンジ画像データのブランキング期間から、該ハイダイナミックレンジ画像データの伝送方式情報および/またはガンマ補正情報を抽出する
前記（１３）に記載の受信装置。
（１５）自身が対応可能なハイダイナミックレンジ画像データの伝送方式情報および/またはガンマ補正方式情報を記憶しておく情報記憶部と、
上記情報記憶部に記憶されている伝送方式情報および/またはガンマ補正方式情報を、上記外部機器に送信する情報送信部とをさらに備える
前記（１２）から（１４）のいずれかに記載の受信装置。
（１６）上記情報記憶部は、上記ハイダイナミックレンジ画像データの伝送方式情報および/またはガンマ補正情報の伝送方式情報をさらに記憶しており、
上記情報送信部は、上記情報記憶部に記憶されている上記ハイダイナミックレンジ画像データの伝送方式情報および/またはガンマ補正情報の伝送方式情報を上記外部機器にさらに送信する
前記（１５）に記載の受信装置。
（１７）上記情報記憶部は、表示可能な最大輝度情報、ハイダイナミックレンジ処理可能な最大伸長輝度レベル情報、伸長処理禁止フラグの少なくとも１つをさらに記憶している
前記（１５）または（１６）に記載の受信装置。
（１８）データ受信部により、外部機器から、上記ハイダイナミックレンジ画像データを受信するデータ受信ステップと、
上記外部機器から、上記データ受信ステップで受信された上記ハイダイナミックレンジ画像データの伝送方式情報および/またはガンマ補正情報を受信する情報受信ステップと、
上記情報受信ステップで受信された上記伝送方式情報および/またはガンマ補正情報に基づいて、上記データ受信ステップで受信されたハイダイナミックレンジ画像データを処理するデータ処理ステップとを有する
ハイダイナミックレンジ画像データ受信方法。
（１９）コンピュータを、
外部機器から、ハイダイナミックレンジ画像を表示するためのハイダイナミックレンジ画像データを受信するデータ受信手段と、
上記外部機器から、上記データ受信手段で受信されるハイダイナミックレンジ画像データの伝送方式情報および/またはガンマ補正情報を受信する情報受信手段と、
上記情報受信手段で受信された伝送方式情報および/またはガンマ補正情報に基づいて、上記データ受信手段で受信されたハイダイナミックレンジ画像データを処理するデータ処理手段と
して機能させるプログラム。
【符号の説明】
【０２０２】
１０・・・・ＡＶシステム
１１・・・・ディスクプレーヤ
１１ａ・・・ＨＤＭＩ端子
１１ｂ・・・ＨＤＭＩ送信部
１１ｃ・・・高速バスインタフェース
１２・・・・テレビ受信機
１２ａ・・・ＨＤＭＩ端子
１２ｂ・・・ＨＤＭＩ受信部
１２ｃ・・・高速バスインタフェース
１３・・・・ＨＤＭＩケーブル
１４・・・・有効画像区間
１５・・・・水平帰線区間
１６・・・・垂直帰線区間
１７・・・・ビデオデータ区間
１８・・・・データアイランド区間
１９・・・・コントロール区間
２１・・・・ＨＤＭＩトランスミッタ
２２・・・・ＨＤＭＩレシーバ
２３・・・・ＤＤＣライン
２４・・・・ＣＥＣライン
２５・・・・ＨＰＤライン
２６・・・・電源ライン
２７・・・・リザーブライン
１０４・・・ＣＰＵ
１０５・・・内部バス
１０６・・・フラッシュＲＯＭ
１０７・・・ＳＤＲＡＭ
１０８・・・リモコン受信部
１０９・・・リモコン送信機
１１０・・・ＳＡＴＡインタフェース
１１１・・・ＢＤドライブ
１１２・・・イーサネットインタフェース
１１３・・・ネットワーク端子
１１４・・・ＨＤＲ処理回路
１１５・・・ＭＰＥＧデコーダ
１１６・・・グラフィック生成回路
１１７・・・映像出力端子
１１８・・・音声出力端子
１２１・・・表示制御部
１２２・・・パネル駆動回路
１２３・・・表示パネル
１２４・・・電源部
２０４・・・ＨＤＲ処理回路
２０５・・・アンテナ端子
２０６・・・デジタルチューナ
２０７・・・ＭＰＥＧデコーダ
２０８・・・映像信号処理回路
２０９・・・グラフィック生成回路
２１０・・・パネル駆動回路
２１１・・・表示パネル
２１２・・・音声信号処理回路
２１３・・・音声増幅回路
２１４・・・スピーカ
２２０・・・内部バス
２２１・・・ＣＰＵ
２２２・・・フラッシュＲＯＭ
２２３・・・ＤＲＡＭ
２２４・・・イーサネットインタフェース
２２５・・・ネットワーク端子
２２６・・・リモコン受信部
２２７・・・リモコン送信機
２３１・・・表示制御部
２３２・・・電源部
３００・・・ＤＰシステム
３０１・・・ＤＰ送信機器
３０２・・・ＤＰ送信部
３０３・・・ＤＰケーブル
３０４・・・メインリンク
３０５・・・ＡＵＸチャネル
３０６・・・ホットプラグ検知
３０７・・・ＤＰ受信機器
３０８・・・ＤＰ受信部
３０９・・・記憶部
４００・・・ＭＨＬシステム
４０１・・・ＭＨＬ送信機器
４０２・・・ＴＭＤＳ送信部
４０３・・・記憶部
４０４・・・ＭＨＬケーブル
４０５・・・ＴＭＤＳチャネル
４０６・・・ＣＢＵＳ/ｅＣＢＵＳライン
４０７・・・ＶＢＵＳライン
４０８・・・ＭＨＬ受信機器
４０９・・・ＴＭＤＳ受信部
４１０・・・記憶部
４１１・・・ＥＤＩＤ  ＲＯＭ
【図１】
2016080233.tif 000003
【図２】
2016080233.tif 000004
【図３】
2016080233.tif 000005
【図４】
2016080233.tif 000006
【図５】
2016080233.tif 000007
【図６】
2016080233.tif 000008
【図７】
2016080233.tif 000009
【図８】
2016080233.tif 000010
【図９】
2016080233.tif 000011
【図１０】
2016080233.tif 000012
【図１１】
2016080233.tif 000013
【図１２】
2016080233.tif 000014
【図１３】
2016080233.tif 000015
【図１４】
2016080233.tif 000016
【図１５】
2016080233.tif 000017
【図１６】
2016080233.tif 000018
【図１７】
2016080233.tif 000019
【図１８】
2016080233.tif 000020
【図１９】
2016080233.tif 000021
【図２０】
2016080233.tif 000022
【図２１】
2016080233.tif 000023
【図２２】
2016080233.tif 000024
【図２３】
2016080233.tif 000025
【図２４】
2016080233.tif 000026
【図２５】
2016080233.tif 000027
【図２６】
2016080233.tif 000028
【図２７】
2016080233.tif 000029
【図２８】
2016080233.tif 000030
【国際調査報告】
2016080233.tif 000031
2016080233.tif 000032
2016080233.tif 000033
2016080233.tif 000034